(57)【要約】【課題】  端末装置からアップロードされた動画を、事前に視聴してその配信の可否の情報を効率よく判定入力して、有害な動画の配信を防止できる動画配信システムを提供する。【解決手段】  予め配信依頼者に設定されたチャンネル番号と関連付けして、端末装置１ａからアップロードされた動画を記憶するストックサーバ３と、ストックサーバ３をアクセスして、アップロードされた動画を再生表示して視聴し、視聴者の視聴端末装置７ａへの配信許可又は配信不許可に係る承認情報を入力する配信承認装置５と、ストックサーバにアップロードされた動画のうち、この配信許可の承認情報を得た動画をチャンネル番号と関連付けされた所定の記憶領域に記憶する配信サーバ６ａと、を備えている。そして、配信サーバ６ａに記憶された動画を視聴端末装置７ａに配信する。【選択図】図１
2008028970.tif 000002
【特許請求の範囲】
【請求項１】
予め配信依頼者に設定されたチャンネル番号と関連付けして、配信依頼者の端末装置からアップロードされた動画を記憶するストックサーバと、
前記ストックサーバをアクセスして、前記アップロードされた前記動画を表示し、前記表示された前記動画を視聴して視聴者の視聴端末装置への配信許可又は配信不許可に係る承認情報を入力して、前記入力した承認情報を前記ストックサーバに送信する配信承認装置と、
前記ストックサーバにアップロードされた前記動画のうち、前記配信承認装置により前記配信許可の承認情報を得た前記動画を前記チャンネル番号と関連付けされた所定の記憶領域に記憶する配信サーバと、を備え、
前記配信サーバに記憶されている前記動画を、前記視聴端末装置に配信するようになされていることを特徴とする動画配信システム。
【請求項２】
前記ストックサーバは、
その記憶装置に記憶した広告映像と、
前記配信承認装置により前記配信許可の承認情報を取得した前記動画に、前記広告映像を結合した広告映像付き動画を作成する広告映像結合手段を備え、
前記広告映像付き動画を前記配信サーバに送信するようになされていることを特徴とする請求項１に記載の動画配信システム。
【請求項３】
管理サーバをアクセスして、動画をストックサーバにアップロードする配信依頼者の端末装置と、
前記アップロードされる動画を、予め前記配信依頼者に設定されたチャンネル番号と関連付けして前記ストックサーバにアップロードさせる処理を行なうアップロード支援手段と、前記アップロードされる前記動画について視聴者の視聴端末装置への配信許可を得た前記動画を記憶する配信サーバのＵＲＬを、前記チャンネル番号と関連付けて登録したチャンネル番号データベースを有する前記管理サーバと、
前記ストックサーバをアクセスして、前記アップロードされた前記動画を表示し、前記表示された前記動画を視聴して視聴者の視聴端末装置への配信許可又は配信不許可に係る承認情報を入力して、前記入力した承認情報を前記ストックサーバに送信する第１の視聴承認手段を有する配信承認装置と、
前記ストックサーバにアップロードされた前記動画のうち、前記配信承認装置により前記配信許可の承認情報を得た前記動画を、前記チャンネル番号を含む前記配信サーバのＵＲＬに記憶する前記配信サーバと、を備え、
前記動画の配信要求は、前記視聴端末装置のＷｅｂサーバのアクセスに基づいて、前記管理サーバが前記配信要求された前記動画に関連付けされた前記チャンネル番号を取得することによりなされることを特徴とする動画配信システム。
【請求項４】
前記ストックサーバは、
その記憶装置に記憶した複数種の広告映像と、
前記配信承認装置により前記配信許可の承認情報を取得した前記動画の先端部または終端部、あるいは先端部と終端部とに結合する前記広告映像を、前記複数種の広告映像から選択する広告映像選択手段と、
前記広告映像選択手段により選択された前記広告映像を、前記配信許可の承認情報を取得した前記動画に結合して広告映像付き動画を作成する広告映像結合手段と、を備え、
前記広告映像付き動画を前記配信サーバに送信するようになされていることを特徴とする請求項３に記載の動画配信システム。
【請求項５】
前記配信承認装置は、
前記配信サーバをアクセスして、前記ストックサーバから前記配信サーバに送信された前記動画にリンクして該リンクされた動画を表示する手段と、
前記表示された前記動画を視聴して、前記視聴端末装置への配信許可または配信不許可に係る情報を入力する第２の視聴承認手段を備え、
前記配信サーバは、前記第２の視聴承認手段により前記配信不許可に係る情報を取得した動画を、前記配信サーバの前記ＵＲＬの記憶領域から削除する手段を備えていることを特徴とする請求項３に記載の動画配信システム。
【請求項６】
前記広告映像選択手段は、前記選択された広告映像を記憶する記憶領域にリンクして該リンクされた広告映像を表示する手段を備えていることを特徴とする請求項４に記載の動画配信システム。
【請求項７】
前記第１と第２の視聴承認手段は、Ｗｅｂページから構成されることを特徴とする請求項３、請求項５、請求項６のいずれかに記載の動画配信システム。
【請求項８】
前記配信依頼者の端末装置は、インターネット接続と動画象撮像機能を備えた携帯電話機から構成され、
前記管理サーバは、
前記配信依頼者のユーザＩＤごとに、前記配信依頼者の前記携帯電話機の機体番号を登録したユーザデータベースと、
前記配信依頼者が前記携帯電話機に記憶している前記動画を前記ストックサーバにアップロードするために前記管理サーバをアクセスしたときに、前記携帯電話機の機体番号を取得して、前記取得した前記機体番号が前記ユーザデータベースに登録されているか否かを判定する機体番号認証手段と、
を備えていることを特徴とする請求項３に記載の動画配信システム。
【発明の詳細な説明】
【技術分野】
【０００１】  本発明は、携帯電話機で撮像した動画、あるいはデジタルビデオカメラ等で撮像した動画をインターネット上のＷｅｂサーバにアップロードして、これらの動画を視聴者の携帯電話機又はパーソナルコンピュータ等の視聴端末装置に配信する動画配信システムに係り、特に、有害な動画を視聴端末装置に配信することを防止する手段を備えた動画配信システムに関するものである。
【背景技術】
【０００２】  インターネット技術の普及、及び携帯電話機の機能向上に伴なって、企業や個人が携帯電話機で撮像した動画を、インターネットを利用して配信する各種の情報配信システムが提案され実用化されている。このような動画を配信するシステムにおいては、公序良俗等に反する有害な動画を視聴者の端末装置に配信しないシステムを構築することが最大の課題になる。この有害な情報を視聴者の端末装置に配信しないようにする対策としては、例えば、下記の特許文献に記載の発明が提案されている。【０００３】
【特許文献１】  特開２００３−２３４６６
【特許文献２】  特開２００２−２９７４７２
【特許文献３】  特開２００２−１４９９１
【０００４】  特許文献１には、インターネットサービスプロバイダが、有害サイトの識別データを登録した有害サイトデータベースを備えることにより、ユーザ端末装置からアクセス要求されたサイトの識別データがこの有害サイトデータベースに登録されていると、このサイトへのアクセスを不可能にするインターネットサービスプロバイダが提案されている。【０００５】  特許文献２には、インターネット上に存在する各種のホームページのうち、閲覧を認める複数のホームページのアドレス情報を登録した特殊インターネットサービスプロバイダへの接続のみが許されたクライアント端末を設けることにより、有害なコンテンツ情報を提供するホームページの閲覧を制限するホームページ閲覧方法が提案されている。【０００６】  特許文献３には、インターネット上に存在するサーバの所定の情報をクライアントがアドレスを指定して検索したときに、この検索された情報をクライアント端末に表示する前に、この情報を構成する各ページの文書に対して、所定の文字列からなる有害な情報が含まれているか否かを判定し、この有害な情報が含まれているページを表示させないようにする情報フィルタリング装置が提案されている。
【発明の開示】
【発明が解決しようとする課題】
【０００７】  上記特許文献１及び２に記載の発明は、ユーザの端末装置が予めデータベースに登録されている有害情報を提供するＷｅｂサイトのホームページ（ＵＲＬ：Ｕｎｉｆｏｒｍ  Ｒｅｓｏｕｒｃｅ  Ｌｏｃａｔｏｒ）をアクセスしようとすると、このアクセスを不可能にするための手段である。現在、インターネット上に公開されるホームページは、極めて多数存在すると共に、日々、新規ホームページが開設されている。従って、有害ホームページのＵＲＬを日々発見して、そのＵＲＬを漏れなくデータベースに登録することは困難になる。【０００８】  上記特許文献３に記載の発明は、インターネット上に公開される文字（テキスト）情報について、有害な語彙を表現する文字列が含まれているか否かをソフトウエア処理により検索し、有害な語彙が含まれているページはクライアントの端末に表示させない処理を行なうものである。従って、上記特許文献３に記載の発明は、画像あるいは動画を含む情報を対象とした発明ではない。【０００９】  静止画像あるいは動画に、有害な画像が含まれているか否かをソフトウエア処理により自動的に判定することは、現在の画像処理技術ではほとんど不可能である。従って、画像に有害な情報が含まれているか否かの判定は、人間が静止画像あるいは動画を目で確認（視聴）して判定することが最も確実な手段である。【００１０】  しかしながら、前記のように近年のインターネット技術及び携帯電話機の機能向上に伴なって、カメラ付き携帯電話機で撮像した動画をＷｅｂサイト（動画配信サーバ）にアップロードして格納（記憶）し、この動画配信サーバに記憶した動画について視聴者の携帯電話機から配信（視聴）要求が発生すると、視聴者の携帯電話機に配信する動画配信システムが多数提案され、実用化されている。このような動画配信システムは、今後、情報提供を行なうためのビジネスとして、各分野において益々実用化されると考えられる。従って、特に携帯電話機を利用した動画提供・配信システムにおいては、有害な動画を視聴者の携帯電話機等の端末装置に配信することを確実に防止することができるシステムを構築することが急務になっている。【００１１】  そこで、本発明の第１の目的は、配信依頼者の携帯電話機等で撮像された動画をＷｅｂサーバにアップロードして記憶し、このＷｅｂサーバに記憶された動画を視聴者の視聴要求に基づいて配信する動画配信システムにおいて、配信の承認管理者がこのＷｅｂサーバをアクセスしてＷｅｂサーバにアップロードされた動画を事前に視聴して、この視聴した動画に、視聴者へ配信する許可または不許可に係る承認情報を効率良く、かつ確実に付与することができると共に、配信許可が付与された動画のみを視聴者の視聴端末装置に配信するようにした動画配信システムを提供することにある。【００１２】  本発明の第２の目的は、上記アップロードされた動画であって配信許可を取得した画像に、広告映像を結合し、この広告映像付き動画を視聴者の端末装置に配信することにより、一つのビジネスとして実用化可能な動画配信システムを提供することにある。
【課題を解決するための手段】
【００１３】  本発明は、予め配信依頼者に設定されたチャンネル番号と関連付けして、配信依頼者の端末装置からアップロードされた動画を記憶するストックサーバと、
前記ストックサーバをアクセスして、前記アップロードされた前記動画を表示し、前記表示された前記動画を視聴して視聴者の視聴端末装置への配信許可又は配信不許可に係る承認情報を入力して、前記入力した承認情報を前記ストックサーバに送信する配信承認装置と、
前記ストックサーバにアップロードされた前記動画のうち、前記配信承認装置により前記配信許可の承認情報を得た前記動画を前記チャンネル番号と関連付けされた所定の記憶領域に記憶する配信サーバと、を備え、
前記配信サーバに記憶されている前記動画を、前記視聴端末装置に配信するようになされている動画配信システムである。【００１４】  さらに、本発明は、
前記ストックサーバは、
その記憶装置に記憶した広告映像と、
前記配信承認装置により前記配信許可の承認情報を取得した前記動画に、前記広告映像を結合した広告映像付き動画を作成する広告映像結合手段を備え、
前記広告映像付き動画を前記配信サーバに送信するようになされている動画配信システムである。【００１５】  さらに、本発明は、管理サーバをアクセスして、動画をストックサーバにアップロードする配信依頼者の端末装置と、
前記アップロードされる動画を、予め前記配信依頼者に設定されたチャンネル番号と関連付けして前記ストックサーバにアップロードさせる処理を行なうアップロード支援手段と、前記アップロードされる前記動画について視聴者の視聴端末装置への配信許可を得た前記動画を記憶する配信サーバのＵＲＬを、前記チャンネル番号と関連付けて登録したチャンネル番号データベースを有する前記管理サーバと、
前記ストックサーバをアクセスして、前記アップロードされた前記動画を表示し、前記表示された前記動画を視聴して視聴者の視聴端末装置への配信許可又は配信不許可に係る承認情報を入力して、前記入力した承認情報を前記ストックサーバに送信する第１の視聴承認手段を有する配信承認装置と、
前記ストックサーバにアップロードされた前記動画のうち、前記配信承認装置により前記配信許可の承認情報を得た前記動画を、前記チャンネル番号を含む前記配信サーバのＵＲＬに記憶する前記配信サーバと、を備え、
前記動画の配信要求は、前記視聴端末装置のＷｅｂサーバのアクセスに基づいて、前記管理サーバが前記配信要求された前記動画に関連付けされた前記チャンネル番号を取得することによりなされる動画配信システムである。【００１６】  さらに、本発明は、前記ストックサーバは、
その記憶装置に記憶した複数種の広告映像と、
前記配信承認装置により前記配信許可の承認情報を取得した前記動画の先端部または終端部、あるいは先端部と終端部とに結合する前記広告映像を、前記複数種の広告映像から選択する広告映像選択手段と、
前記広告映像選択手段により選択された前記広告映像を、前記配信許可の承認情報を取得した前記動画に結合して広告映像付き動画を作成する広告映像結合手段と、を備え、
前記広告映像付き動画を前記配信サーバに送信するようになされている動画配信システムである。【００１７】  さらに、本発明は、前記配信承認装置は、
前記配信サーバをアクセスして、前記ストックサーバから前記配信サーバに送信された前記動画にリンクして該リンクされた動画を表示する手段と、
前記表示された前記動画を視聴して、前記視聴端末装置への配信許可または配信不許可に係る情報を入力する第２の視聴承認手段を備え、
前記配信サーバは、前記第２の視聴承認手段により前記配信不許可に係る情報を取得した動画を、前記配信サーバの前記ＵＲＬの記憶領域から削除する手段を備えている動画配信システムである。【００１８】  さらに、本発明は、前記広告映像選択手段は、前記選択された広告映像を記憶する記憶領域にリンクして該リンクされた広告映像を表示する手段を備えている動画配信システムである。【００１９】  さらに、本発明は、  前記第１と第２の視聴承認手段は、Ｗｅｂページから構成されている動画配信システムである。【００２０】  さらに、本発明は、前記配信依頼者の端末装置は、インターネット接続と動画象撮像機能を備えた携帯電話機から構成され、
前記管理サーバは、
前記配信依頼者のユーザＩＤごとに、前記配信依頼者の前記携帯電話機の機体番号を登録したユーザデータベースと、
前記配信依頼者が前記携帯電話機に記憶している前記動画を前記ストックサーバにアップロードするために前記管理サーバをアクセスしたときに、前記携帯電話機の機体番号を取得して、前記取得した前記機体番号が前記ユーザデータベースに登録されているか否かを判定する機体番号認証手段と、
を備えている動画配信システムである。【００２１】  なお、上記したアップロードされる動画とは、携帯電話機で撮像した３ＧＰＰ（３ｒｄ  Ｇｅｎｅｒａｔｉｏｎ  Ｐａｒｔｎｅｒｓｈｉｐ  Ｐｒｏｊｅｃｔ）、または３ＧＰＰ２（３ｒｄ  Ｇｅｎｅｒａｔｉｏｎ  Ｐａｒｔｎｅｒｓｈｉｐ  Ｐｒｏｊｅｃｔ２）形式の動画像、あるいはデジタルビデオカメラ等で撮像した、例えば、ＡＶＩ（Ａｕｄｉｏ  Ｖｉｄｅｏ  Ｉｎｔｅｒｌｅａｖｉｎｇ）形式、ＭＰＥＧ−４（Ｍｏｖｉｎｇ  Ｐｉｃｔｕｒｅ  Ｅｘｐｅｒｔｓ  Ｇｒｏｕｐ  Ｐｈａｓｅ４）形式等の映像を示し、音声を含んでいてもよい。【００２２】  また、上記した配信依頼者とは、個人、各種の企業や団体等であって、これら配信依頼者が撮像した動画、または所有権のある動画を、本システムの管理運営者（以下、システム管理運営者という）に配信依頼を行なう者を示す。さらに、具体的には、本システムを利用して、携帯電話機あるいはデジタルビデオカメラ等で撮像した動画を、メールサーバを経由してストックサーバにアップロードする者を示す。なお、配信依頼者は、本発明のシステムの利用について、予めユーザ登録を行なって、管理サーバをログインするためのユーザＩＤ（ユーザ名、パスワード）を登録しておく必要がある。【００２３】  また、上記したチャンネル番号とは、システム管理運営者側が予め設定した所定の桁数からなる固有の識別情報（管理番号）である。そして、システム管理運営者は、ユーザ登録した配信依頼者に、一つまたは複数のチャンネル番号を設定する（割り付ける）。さらに、本システムにおいては、配信依頼者が配信依頼するためにアップロードする動画（動画ファイル）には、この配信依頼者に設定されたチャンネル番号の一つとの関連付けが行なわれる。これにより、配信依頼者が配信依頼する動画には、一つのチャンネル番号が設定（関連付け）されることになる。【００２４】  また、上記した広告映像とは、各種の企業、団体、サービス産業等（以下、広告主という）の商品やサービスに関するコマーシャル映像（ＣＭ映像）を示す。また、この広告映像は、音声を含む動画あるいは静止画像であって、現時点の最新の携帯電話機で視聴したときに、その再生時間が約５秒〜数１０秒程度のデータ容量を有するようにする。また、この広告映像は、ＡＶＩ形式のデータで作成されていることが望ましい。
【発明の効果】
【００２５】  本発明は、次のような効果を有している。
（１）配信依頼者の端末装置からアップロードされてストックサーバに記憶された動画を、承認管理者が配信承認装置にアクセスして視聴し、この視聴に基づいて、承認管理者が視聴端末装置への配信可否に関する承認情報を、画面と対話方式で効率良く入力することを可能にしている。これにより、特に、今後、大いに実用化の進展が予想される携帯電話機を利用して、個人の配信依頼者と視聴者を対象とした動画配信システムにおいて、有害な動画の配信を事前に防ぐことができるシステムを提供することができる。【００２６】  （２）システム全体の制御を統括して行なう管理サーバと、アップロードされた動画を一時記憶して、上記（１）による配信可否に関する承認情報を付与するストックサーバと、視聴端末装置への配信の承認を得た動画を格納する配信サーバとを個別に設けたシステム構成にしているので、システムの信頼性が向上すると共に、アップロードされる動画数の増加に対しては、容易に各サーバの増設により対応できる柔軟な動画配信システムを提供することができる。【００２７】  視聴端末装置への配信許可の承認情報を取得した動画には広告映像を結合した広告映像付きの動画を作成し、この広告映像付きの動画を視聴端末装置へ配信するようにしている。これにより、システム管理者側は広告収入を得ることが可能になるので、本システムを利用する配信依頼者および視聴者は、無料で、かつ気楽に参画できる動画配信システムを提供することができる。
【発明を実施するための最良の形態】
【００２８】  以下、本発明を実施するための形態を、図面に基づいて説明する。図１は、本発明のシステムを実施するためのシステム構成の一例を示す。【００２９】［システム構成］
図１において、１ａ、１ｂ、１ｃ、１ｄは、配信依頼者の端末装置である。本発明のシステムにおいて、この端末装置１ａ等は、配信依頼する動画をアップロードするために使用する端末装置であって、携帯電話機１ａ、１ｂ、パーソナルコンピュータ１ｃ、１ｄから構成される。【００３０】  配信依頼者の端末装置である携帯電話機１ａ、１ｂは、インターネット接続機能とカメラ機能、及びメール送受信機能を備えている必要がある。このカメラ機能としては、本システムの機能をより発揮するためには、３ＧＰＰ、または３ＧＰＰ２により策定された仕様等を備えた音声を含む動画像の撮像と再生機能を備えていることが望ましい。【００３１】  配信依頼者の端末装置であるパーソナルコンピュータ１ｃ、１ｄは、ＷｅｂサイトをアクセスするためのソフトウエアであるＷｅｂブラウダ、メール送信用ソフトウエア等がインストールされている必要がある。【００３２】  本発明において配信依頼者の端末装置である携帯電話機１ａ、１ｂ、及びパーソナルコンピュータ１ｃ、１ｄは、携帯電話機１ａ、１ｂで撮像した動画のファイル（以下、動画という）、あるいはデジタルビデオカメラ等で撮像した動画のファイル（以下、動画という）を、配信依頼者がメールに添付して後記するメールサーバ３に送信し、さらに、後記するストックサーバ４にアップロードするために使用される。なお、以下の説明において、配信依頼者の端末装置を代表して説明するときは端末装置１ａと記載する。【００３３】  ２は、管理サーバである。管理サーバ２は、本発明のシステムの動作を統括して制御するために設けているサーバであって、例えば、本システムのシステム管理運営者側が管理するサーバである。管理サーバ２は、本発明のシステムの動作を統括して制御するために、主として下記（１）〜（３）に記載の機能を備えている。【００３４】  （１）配信依頼者がアップロードして配信依頼する動画を、端末装置１ａからメールサーバ３に送信するときに、この送信操作を支援するための各種のＷｅｂページ、およびＷｅｂページから取得した情報に基づいて所定の処理を行なうためのアップロード支援手段を備えている。このアップロード支援手段は、ＨＴＭＬ、ＸＭＬ、及びその他の言語で記述されたプログラムにより実行される。【００３５】  （２）上記（１）により、配信依頼者が端末装置１ａからアップロードした動画であって、後記する配信サーバ６ａ等に記憶（格納）した動画について、視聴者の視聴端末装置から配信要求が発生すると、配信サーバ６ａ等に記憶している動画を視聴端末装置に配信する制御を行なう。なお、この配信要求は、例えば、視聴端末装置が動画を配信要求するためのＷｅｂページをインターネット上に公開するＷｅｂサイトをアクセスすることにより行なうことができる。【００３６】  （３）上記（１）において、配信依頼者が配信依頼する動画を、端末装置１ａからメールサーバ３に送信するときに、配信依頼者が予め登録された配信依頼者であるか否かを認証する処理を行なう。【００３７】  管理サーバ２は、上記した機能を実行するために、各種のプログラムとデータベース（データテーブル）を備えている。これらの詳細については、後記する。【００３８】  ３は、メールサーバである。メールサーバ３は、配信依頼者の端末装置１ａが配信依頼する動画をメールに添付してアップロードするときに、その送信先のサーバとして使用される。メールサーバ３は、動画のファイルを添付したメールを受信すると、管理サーバ２とデータ通信を行なって所定の処理を行なうためのプログラム（メール受信処理プログラム）を備えている。なお、メールサーバ３が受信した動画は、管理サーバ２の制御に従って後記するストックサーバ４に送信される。【００３９】  ４はストックサーバ、５は配信承認装置である。ストックサーバ４は、メールサーバ３から送信された動画を一時的に記憶して、次の処理を行なうためのサーバである。【００４０】  （１）配信依頼者の端末装置１ａからメールサーバ３を経由してアップロードされた動画を、事前に承認管理者に視聴させる。そして、承認管理者が視聴した動画について、視聴者の視聴端末装置に配信してよいか否かの承認情報を画面と対話方式で入力した情報を取得する処理を行なう。この処理により、承認管理者により配信不許可の承認情報が入力された動画、すなわち、有害な動画等が含まれている動画は視聴端末装置に配信しない処理を行なう。【００４１】  本発明において、この配信許可、あるいは不許可の判定は、次のような処理により行なう。まず、承認管理者が配信承認装置５を操作してストックサーバ４をアクセスする。すると、ストックサーバ４は配信承認装置５に配信承認用Ｗｅｂページを表示する処理を行なうと共に、このＷｅｂページの所定の表示領域にアップロードされた動画を表示する処理を行なう。そして、承認管理者は表示された動画を視聴（試聴）し、その試聴結果に基づいてこのＷｅｂページの表示画面と対話方式で、視聴した動画の配信許可、あるいは不許可の承認情報を入力する。【００４２】  （２）上記（１）により、配信許可の承認情報を得た動画について、その動画ファイルの先頭位置あるいは終端位置、または先頭位置と終端位置とに、ソフトウエア処理により広告映像を結合する処理を行なって、広告映像が一体に結合された一つの動画ファイルから構成される広告映像付きの動画を作成する。この広告映像は、予め、複数種の広告映像に関する映像ファイルをストックサーバ４に記憶させておくようにする。なお、配信許可の承認情報を得た動画に、複数種の広告映像のうち如何なる広告映像を結合するかは、例えば、上記した配信承認用Ｗｅｂページを利用して、承認管理者が対話方式により決定する方法を採用することができる。【００４３】  なお、本発明において、上記（２）の処理機能、すなわち、配信許可の承認情報を得た動画に広告映像を結合する機能は、必ずしも備える必要はないが、広告映像を結合した動画を視聴端末装置に配信する動画配信システムを構築すると、動画配信を行なうビジネスとして広告主から対価を得ることが可能になると共に、これにより、配信依頼者及び視聴者の本システムの利用を無料にすることが可能になるという効果が生じる。【００４４】  ６ａ、６ｂは、配信サーバである。配信サーバ６ａ、６ｂは、ストックサーバ４により配信許可の承認情報を得た動画、あるいは配信許可の承認情報を得た動画に上記した広告映像を結合した動画を、所定の記憶領域に記憶（格納）するためのサーバである。視聴端末装置から配信要求が発生すると、この所定の記憶領域に記憶された動画が、管理サーバ２の配信制御に基づいて視聴端末装置に配信されることになる。なお、動画を記憶する所定の記憶領域（ＵＲＬ）は、例えば、チャンネル番号をディレクトリ情報として含むＵＲＬをプログラム処理により作成する処理を行なう。【００４５】  本システムの規模が小さい場合には、配信サーバは１台のみでよいが、システムの規模が大きくなると、配信サーバを複数台備えて配信する動画を分散させて各配信サーバに格納することが望ましい。以下の説明において、配信サーバ６ａ、６ｂを代表して説明するときは、配信サーバ６ａと記載する。【００４６】  ７ａ、７ｂ、７ｃは、視聴者の視聴端末装置であって、後記するＷｅｂサーバ８をアクセスして、動画の配信要求を行なうための端末装置である。本発明において、視聴端末装置は、携帯電話機７ａ、７ｂ、パーソナルコンピュータ７ｃを利用することができる。なお、視聴端末装置である携帯電話機７ａ、７ｂは、インターネット接続機能と３ＧＰＰまたは３ＧＰＰ２形式の動画像を再生する機能を備えている必要がある。また、視聴端末装置であるパーソナルコンピュータ７ｃは、Ｗｅｂブラウザと、ストリーミング映像を再生するためのソフトウエアである、例えば、Ｍｉｃｒｏｓｏｆｔ社の「Ｗｉｎｄｏｗｓ（登録商標）Ｍｅｄｉａ  Ｐｌａｙｅｒ」等がインストールされている。なお、以下の説明において、視聴端末装置７ａ、７ｂ、７ｃを代表して説明するときは、視聴端末装置７ａと記載する。【００４７】  Ｗｅｂサーバ（サイト）８は、上記したように、視聴者が視聴端末装置７ａを操作して動画の配信要求を行なうときにアクセスするサーバである。Ｗｅｂサーバ８は、本発明のシステムを利用して動画の配信要求を行なうための各種のＷｅｂページを備えている。このＷｅｂページとは、配信要求する動画をキーワード等を入力して検索するための検索用Ｗｅｂページ、分野（ジャンル）別の配信動画タイトル一覧表（番組表）、等である。なお、Ｗｅｂサーバ８は、本システムに専用の配信要求を行なうためのＷｅｂサイトから構成し、さらに、一般のホータルサイトから上記各種のＷｅｂページにリンクが取れるようにするとよい。【００４８】  上記した配信依頼者の端末装置１ｃ、１ｄ、管理サーバ２、メールサーバ３、ストックサーバ４、配信承認装置５、配信サーバ６ａ、６ｂ、視聴端末装置７ｃ、Ｗｅｂサーバ８は、インターネット９に接続されている。また、配信依頼者の携帯電話機１ａ、１ｂ、視聴者の携帯電話機７ａ、７ｂは、地上基地局１０、携帯電話機のサービス会社のサーバ１１を介してインターネット９に接続されている。【００４９】［ソフトウエアとデータベースの構成］
続いて、本システムの動作（稼動）を制御するために、各サーバが備えているソフトウエア（プログラム）とデータベースの概要を、図２に基づいて説明する。なお、図２にはサーバを稼動させるための基本ソフトウエア（サーバ用ＯＳ）、Ｗｅｂブラウダ、メール用ソフトウエアについては記載していない。【００５０】  管理サーバ２は、機体番号取得プログラムＰ２１、アップロード支援プログラムＰ２２、機体番号認証プログラムＰ２３、配信制御プログラムＰ２４、データベース作成・更新プログラムＰ２５、処理履歴蓄積プログラムＰ２６、等を備えている。また、データベースとして、チャンネル番号データベース（ＤＢ）Ｄ１、サーバデータベース（ＤＢ）Ｄ２、ユーザデータベース（ＤＢ）Ｄ３、動画識別番号データベース（ＤＢ）Ｄ４、新着動画データテーブル（ＤＴ）Ｄ５、等を備えている。【００５１】  機体番号取得プログラムＰ２１は、配信依頼者が所有している携帯電話機１ａの機体番号を取得するためのプログラムである。ユーザ登録した配信依頼者は、携帯電話機１ａから管理サーバ２をアクセスして、この機体番号取得プログラムＰ２１の制御に従って自分の携帯電話機１ａの機体番号を登録するための操作を行なう。取得した機体番号は、データベース作成・更新プログラムＰ２５により、ユーザデータベースＤ３に登録される。【００５２】  なお、本発明のシステムにおいては、配信依頼者が所有している携帯電話機１ａで撮像した動画をメールサーバ３に送信するときは、まず、管理サーバ２をアクセスし、管理サーバ２の制御に従って、動画をメールサーバ３に送信する処理を行なうようにしている。このとき、アップロード支援プログラムＰ２２は、動画をメールサーバ３に送信する配信依頼者の認証を、配信依頼者の携帯電話機１ａの機体番号で認証する処理を行なうようにしている。【００５３】  アップロード支援手段となるアップロード支援プログラムＰ２２は、配信依頼者が端末装置１ａを操作して動画をメールサーバ３に送信するときに、この送信操作を支援するためのプログラムであって、主として、端末装置１ａに表示する各種のＷｅｂページを記述したプログラムと、これらＷｅｂページに入力されたデータを取得するためのプログラム、等から構成される。【００５４】  機体番号認証プログラムＰ２３は、配信依頼者が端末装置１ａを操作して動画をメールサーバ３に送信するときに、この配信依頼者の認証を、予め管理サーバ２に登録した配信依頼者の携帯電話機１ａの機体番号で行なうためのプログラムである。【００５５】  配信制御プログラムＰ２４は、視聰端末装置７ａがＷｅｂサーバ８をアクセスして、Ｗｅｂサーバ８から動画の配信要求に係る情報の送信要求を管理サーバ２が受信したときに、この送信要求された情報を上記データベースを検索して求める処理を行なうプログラムである。【００５６】  データベース作成・更新プログラムＰ２５は、管理サーバ２が備えている上記データベースの作成と更新を行なうためのプログラムである。【００５７】  チャンネル番号データベースＤ１は、システム管理運営者が予め設定したチャンネル番号ごとに、このチャンネル番号に関連する各種の属性情報を登録したデータベースである。図３に��すように、チャンネル番号データベースＤ１は、チャンネル番号ａ１ごとに、サーバ区分ａ２、ユーザ登録区分ａ３、動画配信区分ａ４、等に関するデータを登録した構成になっている。【００５８】  チャンネル番号ａ１は、前記したように、システム管理運営者が予め設定した所定の桁数からなる固有の識別情報（管理番号）であって、５〜１２桁程度の数字あるいは英数字から構成される。また、本発明においては、ユーザ登録した配信依頼者の希望により、システム管理運営者は少なくとも一つのチャンネル番号ａ１を配信依頼者に割り付ける（設定する）。なお、システム管理運営者が配信依頼者に複数のチャンネル番号ａ１を設定した場合には、配信依頼者は複数種の動画をアップロードして視聴者に配信することが可能になる。【００５９】  サーバ区分ａ２には、本システムの規模の拡大に伴なってシステムを構成するメールサーバ３、ストックサーバ４、配信サーバ６ａがそれぞれ複数になることを前提として、システム管理運営者が本システムで使用するこれらサーバの組合せのパターン情報（サーバ組合せ区分）を予め決定した情報を示す。システム管理運営者は、この決定したサーバ区分をチャンネル番号ａ１ごとに登録してチャンネル番号管理データベースＤ１のサーバ区分ａ２に登録する。【００６０】  ユーザ登録区分ａ３には、該当するチャンネル番号ａ１が、配信依頼者のユーザ登録の設定が完了しているか否かを示す情報が登録される。ユーザ登録区分ａ３には、例えば、配信依頼者の登録設定が完了していると「１」が、未登録の場合には「０」が記憶される。【００６１】  動画配信区分ａ４には、該当するチャンネル番号が設定された動画が現在配信されているか否かを示す情報が登録される。動画配信区分ａ４には、例えば、該当するチャンネル番号が設定された動画が現在配信中の場合には「１」が、配信されていない場合には「０」が記憶される。【００６２】  図４は、チャンネル番号管理データベースＤ１のサーバ区分ａ２に登録したサーバ区分ごとに、その詳細情報を登録したサーバデータベースＤ２のデータ構成の一例を説明するための図である。サーバデータベースＤ２には、サーバ区分ａ２ごとに、配信依頼者の端末装置１ａから動画をメールに添付して送信するメールサーバ３の送信先アドレスｂ１、メールサーバ３から送信された動画等のデータを受信するストックサーバ４のＵＲＬ（ｂ２）、ストックサーバ４により配信許可の承認情報を得た動画あるいは広告映像付き動画を、ストックサーバ４から送信されて受信する配信サーバ６ａ等のＵＲＬ（ｂ３）、等に関する情報が登録されている。【００６３】  図５は、ユーザデータベースＤ３のデータ構成の一例を説明するための図である。ユーザデータベースＤ３は、本発明のシステムを利用して配信依頼する動画をアップロードする配信依頼者（ユーザ）に関する属性を登録したユーザデータベースである。ユーザデータベースＤ３は、配信依頼者のＩＤ情報ｃ１（ユーザー名とパスワード）ごとに、配信依頼者のメールアドレスｃ２、システム管理運営者側が配信依頼者に設定したチャンネル番号ａ１、配信依頼者が所有している携帯電話機１の機体番号ｃ３、配信依頼者の名称（氏名）と住所Ｃ４等、の��信依頼者に関する属性情報が登録される。【００６４】  ユーザデータベースＤ３は、主に、ユーザ登録を行なった配信依頼者が、管理サーバ２をアクセスして動画をメールサーバ３に送信するときに、この配信依頼者の認証と、配信依頼するためにアップロードする動画に配信依頼者に設定されたチャンネル番号ａ１を関連付けるため、すなわち、アップロードする動画にチャンネル番号を設定する処理を行なうために使用される。【００６５】  ユーザデータベースＤ３に登録している携帯電話機の機体番号ｃ３は、チャンネル番号ａ１が設定された配信依頼者が所有している携帯電話機１の機体番号を示す。前記したように、本システムにおいては、配信依頼者の携帯電話機１が管理サーバ２をアクセスして動画をメールに添付してメールサーバ３に送信するときに、管理サーバ２はこの配信依頼者の携帯電話機１の機体番号ｃ３を取得して配信依頼者を認証する処理を行なう。なお、管理サーバ２が、この携帯電話機１ａの機体番号ｃ３を取得してユーザデータベースＤ３に登録する処理は、後記するように、Ｗｅｂページを利用して行なう。【００６６】  なお、携帯電話機の機体番号ｃ３は、携帯電話機を識別するための固有の識別情報であって、携帯電話機の製造時に所定の桁数からなる数字、または英数字からなる機体番号が携帯電話機の記憶装置に記憶されるようになっている。そして、パーソナルコンピュータ等の外部装置等から携帯電話機に対して機体番号の送信要求を行なうと、携帯電話機はこの送信要求に対して記憶されている機体番号をこの外部装置に送信する処理を行なうプログラムを備えている。本発明のシステムは、携帯電話機が備えているこの機能を利用して、機体番号取得プログラムにより、配信依頼者が所有している携帯電話機１ａの機体番号ｃ３を取得し、取得した機体番号ｃ３をユーザデータベースＤ３に登録する処理を行なうようにしている。なお、本発明においては、ＩＣチップからなるＩＣカードを搭載した携帯電話機においては、このＩＣカードに記憶されている識別番号を機体番号ｃ３として登録してもよい。【００６７】  図６は、動画識別番号データベースＤ４のデータ構成の一例を説明するための図である。動画識別番号データベースＤ４は、動画識別番号ｄ１ごとに、この動画識別番号ｄ１が付与された動画に設定されているチャンネル番号ａ１、配信終了日ｄ２、アップロードされた日付ｄ３、配信区分ｄ４、等に関するデータが登録される。動画識別番号ータベースＤ４への各データの登録処理は、ストックサーバ４にアップロードされた動画であって、配信許可の承認情報を取得した動画が配信サーバ６ａに記憶された時点に、データベース作成・更新プログラムにより実行される。【００６８】  動画識別番号データベースＤ４に登録する動画識別番号ｄ１とは、携帯電話機１ａからチャンネル番号ａ１と関連付けられてメールサーバ３に送信された動画について、管理サーバ２が発行する、例えば、１０〜１５桁程度の数字あるいは英数字からなる固有の識別番号である。この動画識別番号ｄ１は、管理サーバ２が備えているプログラム（動画識別番号作成プログラム）により自動生成される。この動画識別番号作成プログラムは、例えば、乱数発生プログ���ムにより発生した所定桁数の乱数値と当日の年月日を並べて１０〜１５桁の数列を作成し、この数列の要素を所定のルールで並び換えることにより固有の識別番を作成するようにする。【００６９】  図７は、新着動画データテーブルＤ５のデータ構成の一例を説明するための図である。新着動画データテーブルＤ５は、ストックサーバ４にアップロードされた新着の動画であって、視聴端末装置への配信許可、不許可に係る承認情報が得られていない動画について、この動画に付与された動画識別番号ｄ１ごとにそのチャンネル番号ａ１、等に関する情報を登録したデータテーブルである。なお、ストックサーバ４から視聴端末装置への配信許可、不許可に係る承認情報が送信されると、新着動画データテーブルＤ５に記憶されている該当する動画識別番号ｄ１とそのチャンネル番号ａ１等に関する情報は削除される。【００７０】  メールサーバ３は、メール受信処理プログラムＰ３１を備えている。メール受信処理プログラムＰ３１は、配信依頼者の端末装置１ａから送信されたメールの受信処理と、管理サーバ２との通信処理、メールで受信した動画のファイル及び管理サーバ２から受信したデータをストックサーバ４に送信する処理を行なうプログラムから構成されている。【００７１】  ストックサーバ４は、アップロード動画承認処理プログラムＰ４１、ファイル変換プログラムＰ４２、広告映像結合プログラムＰ４３、サムネイル画像作成プログラムＰ４４、等のプログラムを備えている。なお、ファイル変換プログラムＰ４２と広告映像結合プログラムＰ４３、及び後記する動画承認用ＷｅｂページＫ１は、広告映像結合手段となる。【００７２】  さらに、ストックサーバ４は、外部記憶装置に、各種の広告映像ファイルをＡＶＩ形式で記憶した広告映像データベース（ＤＢ）Ｄ１１と、この広告映像ファイルごとに、予め設定された広告映像のタイトル名とこのタイトル名が設定された広告映像を記憶する記憶場所（ディレクトリとファイル名）を登録した広告映像インデックステーブルＤ１２、ストックサーバ４にアップロードされた動画を配信承認装置５で視聴して、視聴端末装置への配信許可または不許可に係わる承認情報を入力する承認管理者に関する情報を登録した承認管理者データベース（ＤＢ）Ｄ１３を備えている。【００７３】  アップロード動画承認処理プログラムＰ４１は、配信依頼者の端末装置１ａからメールサーバ３を経由してストックサーバ４にアップロードされた動画を承認管理者に視聴させて、視聴者の視聰端末装置に配信してよいか否かを示す配信許可または不許可の承認情報を画面と対話方式により入力させる処理を行なうプログラムである。この承認管理者による承認処理は、前記したように、承認管理者が配信承認装置５を操作してストックサーバ４をアクセスすることにより行なわれる。承認管理者の配信承認装置５がストックサーバ４をアクセスすると、ストックサーバ４のアップロード動画承認処理プログラムＰ４１は、図８に示す動画承認用ＷｅｂページＫ１を配信承認装置５に表示する処理を行なう。【００７４】  動画承認用ＷｅｂページＫ１は、表示領域Ｋａ、Ｋｂ、Ｋｃ、Ｋｄを備えた１ページから構成されている。このうち、領域ＫａはこのＷｅｂペ���ジのタイトルを表示する領域と、予めこの配信承認装置５に設定されている承認情報を入力する対象となるチャンネル番号の範囲を表示した領域Ｋａ１と、承認情報を入力していない動画数（新着動画件数）を表示する領域Ｋａ２を備えている。なお、配信承認装置５を１台のみ備えたシステムにおいては、領域Ｋａ１に上記チャンネル番号の範囲を表示する必要はない。また、配信承認装置５を複数台設置した場合には、配信承認装置ごとあるいは承認管理者ごとに、承認情報を入力する対象となるチャンネル番号の範囲を予め設定しておくようにするとよい。【００７５】  領域Ｋｂは、ストックサーバ４にアップロードされた動画を順次、承認管理者が視聴（視聴）して、配信許可または不許可の承認情報を入力する領域である。領域Ｋｂには、動画を再生して表示する領域ｈ１、マウスにより視聴（試聴）開始をクリックする領域（試聴ボタン）Ｋｂ１、視聰端末装置への配信許可をマウスで指定して入力する領域（許可ボタン）Ｋｂ２、同じく配信不許可をマウスで指定して入力する領域（不可ボタン）Ｋｂ３を備えている。この領域Ｋｂに表示されている各ボタンの操作とこれに伴なうプログラムの処理は、第１の視聰承認手段になる。【００７６】  領域Ｋｃは、領域Ｋｂの操作により配信許可の情報が入力された動画に結合する広告映像を選択する領域Ｋｃ１、Ｋｃ２と、この選択した広告映像を動画に結合する処理を行なう広告映像結合プログラムＰ４３等をスタートさせるための領域（決定ボタン）Ｋｃ３、領域Ｋｃ１及びＫｃ２で選択された広告映像を再生して表示する領域ｈ２を備えている。領域Ｋｃの広告映像を選択する領域Ｋｃ１、Ｋｃ２、決定ボタンＫｃ３とこれらの領域の操作に伴なう作動するプログラムは、広告映像選択手段となる。【００７７】  なお、領域Ｋｃ１は動画の先頭位置に結合する広告映像を選択するための領域であって、その右端をクリックすると、例えば、広告映像のタイトル名がポップアップメニュー形式で表示されて、マウスでその一つのタイトル名をクリックするとそのタイトル名に係る広告映像が選択される。そして、この選択された広告映像が領域ｈ２に表示される。領域Ｋｃ２は動画の終端位置に結合する広告映像を選択するための領域であって、その操作は上記した領域Ｋｃ１と同様である。そして、承認管理者は領域ｈ２に表示された広告映像を視聰して所定の広告映像が選択されたことを確認すると、領域Ｋｃ３の「決定」ボタンをマウスでクリックする。【００７８】  領域Ｋｄは、広告映像を結合した広告映像付き動画が配信サーバ６ａの所定の記憶領域に記憶されたときに、再度、承認管理者がこの広告映像付き動画を視聴して視聴者の視聴端末装置７ａに配信するか否かの最終の承認情報を入力するための領域である。領域Ｋｄには、広告映像付き動画の試聴を開始さてその動画を領域ｈ３に表示させるための「試聴」ボタンＫｄ１、この試聴結果に基づいて承認管理者がこの広告映像付き動画を視聴者の視聴端末装置７ａに配信することを承認する情報を入力するための「承認」ボタンＫｄ２、同じく視聴端末装置７ａに配信することを不許可にする情報を入力するための「戻す」ボタンＫｄ３、等を備えている。なお、承認管理者が「戻す」ボ��ンＫｄ３をクリックすると、アップロード動画承認処理プログラムＰ４１は、例えば、動画承認用ＷｅｂページＫ１のＫｃ領域の広告映像を選択するボタンＫｃ１の操作を再度行なうように制御を戻す処理を行なうようにする。この領域Ｋｄに表示されている各ボタンの操作とこれに伴なうプログラムの処理は、第２の視聴承認手段になる。【００７９】  ファイル変換プログラムＰ４２は、例えば、携帯電話機１ａで撮像した動画（３ＧＰＰ形式または３ＧＰＰ２形式のデータ）をＡＶＩ形式に変換するプログラム、パーソナルコンピュータからなる端末装置１ｃから送信されたＭＰＥＧ−４形式の動画をＡＶＩ形式に変換するプログラム、ＡＶＩ形式の動画をそれぞれＷＭＶ（Ｗｉｎｄｏｗｓ（登録商標）Ｍｅｄｉａ  Ｖｉｄｅｏ）形式、３ＧＰＰ形式、あるいは３ＧＰＰ２形式に変換するプログラム等である。これらのファイル変換プログラムは、市販されているプログラム等を使用することができる。【００８０】  なお、上記したＷＭＶ形式とは、動画圧縮のＭＰＥＧ−４を基準にしてＭｉｃｒｏｓｏｆｔ社が開発した動画形式であって、ストリーミング映像を再生するソフトウエアであるＭｉｃｒｏｓｏｆｔ社の「Ｗｉｎｄｏｗｓ（登録商標）Ｍｅｄｉａ  Ｐｌａｙｅｒ」がサポートしているデータ形式である。【００８１】  広告映像結合プログラムＰ４３は、配信依頼者からアップロードされた動画であって上記ファイル変換プログラムＰ４２によりＡＶＩ形式に変換した動画と、ＡＶＩ形式の広告映像とを、一つのＡＶＩ形式からなる広告付き映像データに結合して、一つのファイルに編集する処理を行なうプログラムである。この広告映像結合プログラムＰ４３は、市販されているプログラム等を流用することができる。【００８２】  サムネイル画像作成プログラムＰ４４は、ストックサーバ４にアップロードされた動画について、例えば、その先頭の１フレーム分の画像データを取り出して静止画像を作成して所定の記憶領域に記憶する処理を行なうプログラムである。このサムネイル画像の作成は、上記したファイル変換プログラムＰ４２等が備えている機能を利用するか、ファイル変換プログラムＰ４２にサムネイル画像を作成する処理を行なうプログラムを付加することにより可能になる。なお、サムネイル画像は、Ｗｅｂサーバ８がインターネット９に公開する配信要求用Ｗｅｂページに、例えば、動画タイトル名とチャンネル番号と共に掲載するために使用する。【００８３】  上記した動画承認用ＷｅｂページＫ１において、承認管理者が領域Ｋｃに表示された「決定」ボタンＫｃ３をクリックすると、ストックサーバ４が備えている上記したファイル変換プログラムＰ４２、広告映像結合プログラムＰ４３が順次作動して下記（１）〜（４）に記載の処理を行なう。【００８４】  （１）まず、ファイル変換プログラムＰ４２が作動して、ストックサーバ４にアップロードされた動画をＡＶＩ形式に変換する処理を行なう。この変換処理は、配信依頼者の携帯電話機１ａからアップロードされた動画が、例えば、３ＧＰＰ形式又は３ＧＰＰ２であると、ファイル変換プログラムＰ４２のうち３ＧＰＰ形式又は３ＧＰＰ２形式のファイルをＡＶＩ形式に変換するプログラムを作動させてＡＶＩ形式に���換する。また、パーソナルコンピュータから構成される端末装置１ｃからアップロードされた動画がＭＰＥＧ−４であると、ＭＰＥＧ−４形式のファイルをＡＶＩ形式に変換するプログラムを作動させてＡＶＩ形式に変換する。なお、ストックサーバ４にアップロードされた動画が如何なるデータ形式であるかの判定は、動画のファイル名に付与されている拡張子をプログラムで判定する処理を行なうことにより可能である。【００８５】  （２）続いて、広告映像結合処理プログラムＰ４３が作動して、上記（１）によりＡＶＩ形式に変換した画像ファイルとＡＶＩ形式の広告映像ファイルとを、一つのＡＶＩ形式からなる広告付き動画に結合（連結）した、一つの動画ファイルに編集する処理を行なう。この処理が実行されると、画像ファイルの先頭位置に動画承認用ＷｅｂページＫ１の表示領域Ｋｃ１で選択した広告映像ファイルが結合され、画像ファイルの終端位置に表示領域Ｋｃ２で選択した広告映像ファイルが結合されたＡＶＩ形式の広告映像付き動画が作成されて、ストックサーバ４の記憶装置に一旦記憶される。【００８６】  （３）続いて、ファイル変換プログラムＰ４２を作動させて、上記（２）により作成したＡＶＩ形式の広告映像付き動画のファイルを、３ＧＰＰ形式、３ＧＰＰ２及びＷＭＶ形式のファイルに変換する処理を行なって、それぞれ変換した動画ファイルをストックサーバ４の記憶装置に記憶する処理を行なう。なお、３ＧＰＰ形式と３ＧＰＰ２に変換された広告映像付き動画のファイルは、視聴者の携帯電話機７ａで視聴するためのデータ形式であって、視聴する携帯電話機７ａの仕様に対応するために３ＧＰＰ形式と３ＧＰＰ２形式にデータ変換するようにしている。また、ＷＭＶ形式に変換された広告映像付き動画のファイルは、視聴者のパーソナルコンピュータからなる端末装置７ｃで視聴するためのデータ形式である。【００８７】  （４）続いて、上記（３）により作成された３ＧＰＰ形式、３ＧＰＰ２及びＷＭＶ形式の広告映像付き動画ファイルとサムネイル画像を、この動画に係るチャンネル番号と動画識別番号とともに、データ送信プログラムにより配信サーバ６ａに送信する。【００８８】  配信サーバ６ａは、動画格納処理プログラムＰ６１、動画削除プログラムＰ６２、動画配信プログラムＰ６３、等を備えている。【００８９】  動画格納処理プログラムＰ６１は、ストックサーバ４から３ＧＰＰ形式、３ＧＰＰ２及びＷＭＶ形式の広告映像付き動画ファイル及びサムネイル画像のファイルと、これらファイルに係るチャンネル番号と動画識別番号を受信すると、これらデータを一旦、外部記装置等に記憶する。そして、これら受信した各ファイルを格納する記憶領域（ＵＲＬ）を作成する処理を行なう。動画格納処理プログラムＰ６１は、このファイルを格納するＵＲＬを、例えば、下記（Ｕ１）の構成からなるＵＲＬを作成する処理を行なう。【００９０】  （Ｕ１）  ／スキーム名／配信サーバのドメイン名／ｍｏｖｉｅｓ／チャンネル番号／動画識別番号．拡張子
なお、上記ＵＲＬ（Ｕ１）において、「／ｍｏｖｉｅｓ／」は最上位のホルダ（ディレクトリ）名を示し、「／動画識別番号．拡張子」はファイル名を示す。すなわち、チャンネル番号をディレクトリとし、動画識別番号をファイル名としたＵＲＬを作成する。【００９１】  続いて、動画格納処理プログラムＰ６１は、外部記装置等に記憶した３ＧＰＰ形式、３ＧＰＰ２及びＷＭＶ形式の広告映像付き動画ファイルとサムネイル画像を、上記ＵＲＬ（Ｕ１）から構成される格納装置に記憶する処理を行なう。この処理が終了すると、配信サーバ６ａへの格納終了を示す情報を、ストックサーバ４に上記ＵＲＬと共に送信する。ストックサーバ４のアップロード動画承認処理プログラムＰ４１は、この配信サーバ６ａへの格納終了を示す情報を受信すると、動画承認用ＷｅｂページＫ１の表示領域Ｋｄにその旨を示す情報を表示（図８には図示せず）して、承認管理者に領域Ｋｄの「試聴」ボタンＫｄ１のクリックを促す処理を行なうようにする。【００９２】  承認管理者が領域Ｋｄの「試聴」ボタンＫｄ１をクリックすると、配信サーバ６ａに格納した３ＧＰＰ形式、３ＧＰＰ２及びＷＭＶ形式の広告映像付き動画ファイルを記憶するＵＲＬとリンクを取って、３ＧＰＰ形式、３ＧＰＰ２及びＷＭＶ形式の広告映像付き動画を順次領域ｈ３に表示する処理を行なう。そして、承認管理者は、広告映像付き動画の試聴が終了すると、その視聴端末装置７ａへの配信に係る承認情報を入力するために、「承認」ボタンＫｄ２、または「戻す」ボタンＫｄ３の何れかをマウスでクリックする。【００９３】  なお、上記の広告映像付き動画の試聴を行なうために、動画承認用ｗｅｂページＫ１の領域Ｋｄに、それぞれ３ＧＰＰ、３ＧＰＰ２、ＷＭＶ形式ごとに試聴を開始するための試聴ボタンを設けて、これらデータ形式ごとに承認情報を入力するようにしてもよい。【００９４】  承認管理者が「承認」ボタンＫｄ２をクリックしたときには、この試聴した広告映像付き動画は視聴端末装置７ａへの配信が承認されたことを示すので、アップロード動画承認処理プログラムＰ４１はこの広告映像付き動画に設定されているチャンネル番号と動画識別番号を管理サーバ２に送信する処理を行なう。【００９５】  一方、承認管理者が「戻す」ボタンＫｄ３をクリックしたときには、アップロード動画承認処理プログラムＰ４１は、配信サーバ６ａに、配信サーバ６ａに格納した３ＧＰＰ形式、３ＧＰＰ２、ＷＭＶ形式及びサムネイル画像を削除するための制御コマンドをチャンネル番号と動画識別番号と共に送信する。そして、配信サーバ６ａはこの制御コマンドを受信すると、動画削除プログラムＰ６２により、受信したチャンネル番号と動画識別番号を含む上記ＵＲＬ（Ｕ１）に格納されている動画とサムネイル画像を削除する処理を行なう。続いて、アップロード動画承認処理プログラムＰ４１は、例えば、動画承認用ＷｅｂページＫ１のＫｃ領域の広告映像を選択するボタンＫｃ１の再操作を行なうように制御を戻す処理を行なうようにする。【００９６】［システム構築のための事前準備事項］
続いて、本発明のシステムを構築して稼動させるために、システム管理運営者等が予め準備しておく事項について説明する。【００９７】  システム管理運営者は、予め下記の事項を行なっておく必要がある。
（１）本発明のシステムを利用して動画をアップロードして配信依頼する配信依頼者（ユーザ）を募集する。ユーザ登録した配信依頼者には、ユーザ名とパスワードを発行するとともに、予め設定したチャンネル番号ａ１の一つまたは複数を設定する。そして、これらのユーザに関する属性情報をユーザデータベースＤ３に登録する。【００９８】  （２）本発明のシステムを利用して、配信依頼者が配信依頼する動画に結合する広告映像を提供する広告主を募集する。そして、システム管理運営者は、本発明のシステムを利用して広告映像の配信について契約した広告主に対して、例えば、広告映像を結合するチャンネル番号の数に応じた対価を請求するようにする。【００９９】  （３）本発明のシステムで使用する管理サーバ２、メールサーバ３、ストックサーバ４、配信サーバ６ａを決定するとともに、各サーバが必要とする上記したプログラム等を開発または準備してインストールする。これらのサーバは、レンタルサーバを使用してもよい。また、メールサーバ３、ストックサーバ４、配信サーバ５について、本システムが使用するアドレス、ＵＲＬを決定し、これらサーバを複数台分散して使用するときには、各サーバの組合せとそのサーバ区分ａ２を決定してチャンネル番号データベースＤ１、サーバデータベースＤ２に登録する。また、システムに規模に応じて、配信承認装置５は複数台設置して、各承認管理者が分担してアップロードされた動画を視聴して承認情報を入力できるようにする。【０１００】  （４）広告主は、デジタルビデオカメラ等を使用して、商品やサービスに関する広告映像を撮像する。そして、シスステム管理者等は、この広告映像に、例えば、そのファイル名として広告映像を識別する情報である広告識別情報を付与して映像編集サーバ４の外部記憶装置にＡＶＩデータ形式で記憶する操作を行なう。さらに、シスステム管理者等は、これら広告映像に関する属性情報、例えば、広告主、広告識別情報、タイトル名等と、広告映像を記憶するディレクトリ及びファイル名とを関連付けした広告映像インデックステーブルＤ１２を作成して、ストックサーバ４の外部記憶装置に登録する。【０１０１】［システムの動作（ユーザ登録の手順）］
続いて、本発明のシステムの動作について説明する。最初に、配信依頼者（ユーザ）がシステム管理運営者側に、本システムを利用して動画をアップロードして配信依頼を行なうためのユーザ登録を行なう手順について説明する。図９は、配信依頼者がユーザ登録を行なうための手順とその処理の流れを示す図である。このユーザ登録は、システム管理運営者側が、配信依頼者に関する属性情報と、配信依頼者が所有する携帯電話機１の機体番号を取得し、これら取得した情報を管理サーバ２のデータベースに登録する手順から構成されている。以下、図９に示すステップ順に説明する。【０１０２】（ステップＳ１）
配信依頼者は、予めシステム管理運営者側が用意しているユーザー登録申込書に、必要事項を記入して、郵送あるいはＦＡＸ等によりユーザ登録の申請を行なう。このユーザ登録申込書には、配信依頼者の氏名（名称）、住所、ユーザ名、パスワード、配信依頼者が所有している携帯電話機１ａ、及び端末装置１ｃのメールアドレス等の配信依頼者に関する属性情報を入力する欄を設ける。なお、配信依頼者は、複数種の動画を同時に配信依頼することも考えられるので、配信依頼する動画の種類数（必要チャンネル数）を入力する欄を設けるようにしてもよい。【０１０３】（ステップＳ２）
システム管理運営者側は、配信依頼者からユーザ登録申込書を受け取ると、予め設定している固有のチャンネル番号ａ１の一つをこのユーザに割り付ける。なお、システム管理運営者側は、ユーザの希望に基づいてユーザに複数のチャンネル番号ａ１を割り付けてもよい。【０１０４】  続いて、データベース作成・更新プログラムＰ２５を使用して、ユーザに設定したチャンネル番号ａ１ごとに、ユーザ登録申込書に記入されている配信依頼者の属性情報をユーザデータベースＤ３に登録する操作を行なう。このとき、ユーザデータベースＤ３に登録する属性情報は、図５に示すように、配信依頼者のＩＤ情報ｃ１、メールアドレスｃ２、チャンネル番号ａ１、配信依頼者の氏名（名称）／住所Ｃ４、等である。なお、配信依頼者のＩＤ情報ｃ１は、配信依頼者が管理サーバ２をアクセス（ログイン）するときのユーザ名（ｃ１−１）とパスワード（ｃ１−２）である。さらに、チャンネル番号データベースＤ１について、この割り付けたチャンネル番号ａ１に対応するユーザ登録区分ａ３欄に、ユーザの登録が完了したことを示す「１」を登録する操作を行なう。【０１０５】  なお、システム管理運営者側がユーザ登録を行なった配信依頼者にチャンネル番号を設定するときは、チャンネル番号データベースＤ１を参照して、ユーザ登録区分ａ３欄に、ユーザ登録が未完了を表す「０」が記憶されているチャンネル番号を選択して設定するようにする。【０１０６】（ステップＳ３）
システム管理運営者側は、ユーザ登録が完了したことを、配信依頼者にメールで連絡する。このとき、ユーザ登録完了のメールは、ユーザ登録した配信依頼者の携帯電話機１ａと端末装置１ｃに送信する。図１０は、携帯電話機１ａに送信するユーザ登録完了のメールＧ１の表示例を示している。なお、端末装置１ｃについても、図１０と同じ内容のメールを送信するようにする。【０１０７】（ステップＳ４）
ユーザ登録を行なった配信依頼者は、上記ステップＳ３により送付されたメールＧ１を見て、ユーザ登録の完了を確認することができる。なお、管理サーバ２のメール送信プログラムは、ユーザ登録完了のメールＧ１において、表示領域ｇ１ａにはユーザ登録を行なった配信依頼者に割り付けた（設定した）チャンネル番号ａ１を表示する。また、配信依頼者に複数のチャンネル番号を設定した場合には、表示領域ｇ１ａにはこの複数のチャンネル番号を表示するようにする。配信依頼者はこのメールＧ１により連絡を受けたチャンネル番号を忘れないように記憶しておく。【０１０８】  さらに、メール画面Ｇ１の表示領域ｇ１ｂには、配信依頼者が所有している携帯電話機１ａの機体番号を管理サーバ２に登録する操作を行なうためのログイン用Ｗｅｂページをアクセスするための［ログイン画面］ボタンを表示する。また、［ログイン画面］ボタンの下部には、このログイン用ＷｅｂページのＵＲＬを表示しておき、配信依頼者はこのＵＲＬを携帯電話機１ａにブックマークとして登録しておくようにするとよい。【０１０９】  システム管理運営者側は、上記ステップＳ１〜Ｓ４に記載の手順により、本発明のシステムを利用して動画を配信依頼をするためにアップロードするユーザ（配信依頼者）に関する情報を管理サーバ２に登録することができる。【０１１０】［携帯電話機の機体番号の登録］
続いて、配信依頼者が所有している携帯電話機１ａの機体番号を管理サーバ２に登録するための手順を、図９に示すステップＳ５〜Ｓ１６に基づいて説明する。なお、携帯電話機１ａの機体番号を管理サーバ２に登録する目的は、配信依頼者が携帯電話機１ａで撮像した動画をメールに添付してメールサーバ３に送信するときに、配信依頼者をこの機体番号で認証するためである。【０１１１】  本発明において、配信依頼者は、自分の携帯電話機１ａの機体番号を一度管理サーバ２に登録しておくと、新規更新する動画を含む動画を毎度メールサーバ３に送信するときに、配信依頼者のユーザ名とパスワードを入力して管理サーバ２をアクセスする必要がなくなるようにしている。これにより、特に、配信依頼者が一旦配信依頼した動画を、新しく撮像した動画に更新して配信依頼するときには、携帯電話機１ａの簡単な操作によりこの新しい動画をメールサーバ３に送信することができるようになる。【０１１２】（ステップＳ５）（ステップＳ６）
配信依頼者は自分の携帯電話機１ａを用いて、上記ステップＳ４によりメールＧ１の表示領域ｇ１ｂに表示されたＵＲＬをアクセスする操作を行なう。この表示領域ｇ１ｂに表示されたＵＲＬは、管理サーバ２が携帯電話機１ａの機体番号を取得する処理と、携帯電話機１ａで撮像した動画をアップロードするためのログイン用Ｗｅｂページ（以下、動画アップロード用ログインページという）のＵＲＬを示している。【０１１３】  例えば、配信依頼者がメールＧ１の［ログイン画面］ボタンｇ１ｂをクリックすると、管理サーバ２のアップロード支援プログラムＰ２２は、図１１に示す動画アップロード用ログインページＧ２を携帯電話機１ａに表示する処理を行なう。このＷｅｂページＧ２には、通常のログイン、すなわち、ユーザ名とパスワードを入力してログインする表示領域ｇ２ａと、前記した機体番号によりログインするための表示領域ｇ２ｂとを設けている。【０１１４】（ステップＳ７）
配信依頼者は、動画アップロード用ログインページＧ２の表示領域ｇ２ａにユーザ名とパスワードを入力して［ログイン］ボタンｇ２ａ−１をクリックする操作を行なう。なお、このユーザ名とパスワードは、ユーザ登録により決定されたユーザ名（ｃ１−１）とパスワード（ｃ１−２）を入力する。【０１１５】（ステップＳ８）
管理サーバ６のアップロード支援プログラムＰ２２は、上記ステップＳ７により配信依頼者のユーザ名とパスワードを取得すると、この取得したユーザ名とパスワードがユーザデータベースＤ３に登録されているか否かを判定する処理を行なう。この判定の結果、登録されている場合には、ユーザデータベースＤ３においてこのユーザ名とパスワードが登録されているチャンネル番号ａ１を求めて一旦記憶装置に記憶しておく。なお、上記判定の結果、ユーザ名とパスワードが未登録の場合には、携帯電話機１ａにエラーメッセージを表示する処理を行なう。【０１１６】（ステップＳ９）
配信依頼者のユーザ名とパスワードがユーザデータベースＤ３に登録されていたので、図１２に示す動画アップロード用ＷｅｂページＧ３を携帯電話機１ａに表示する処理を行なう。動画アップロード用ＷｅｂページＧ３は、動画（更新する動画も含む）をアップロードする操作を行なうための表示領域ｇ３ａと、配信依頼者の携帯電話機１ａの機体番号を管理サーバ２に登録する操作を行なうための表示領域ｇ３ｂから構成されている。【０１１７】（ステップＳ１０）
配信依頼者は、未だ、携帯電話機１ａの機体番号を管理サーバ２に登録していないので、動画アップロード用ＷｅｂページＧ３の表示領域ｇ３ｂに表示されている［端末登録］ボタンｇ３ｂ−１をクリックする操作を行なう。【０１１８】（ステップＳ１１）
アップロード支援プログラムＰ２２は、映像アップロード用ＷｅｂページＧ３の［端末登録］ボタンｇ３ｂ−１がクリックされると、図１３に示すＷｅｂページＧ４を携帯電話機１ａに表示する処理を行なう。ＷｅｂページＧ４は、携帯電話機１ａの機体番号を管理サーバ２に送信（登録）することについて、配信依頼者の承諾を得るためのＷｅｂページである。【０１１９】（ステップＳ１２）（ステップＳ１３）
配信依頼者がＷｅｂページＧ４の［ＹＥＳ］ボタンをクリックすると、ＷｅｂページＧ４に組み込まれている機体番号取得プログラムが作動して、携帯電話機１ａの記憶装置に記憶されている機体番号を読み出し、この読み出した機体番号を管理サーバ２に送信する処理を行なう。【０１２０】（ステップＳ１４）（ステップＳ１５）
管理サーバ２は、ステップＳ１３により機体番号を取得すると、データベース作成・更新プログラムＰ２３を作動させる。データベース作成・更新プログラムＰ２３は、ステップＳ８により記憶装置に記憶したチャンネル番号ａ１に対応するユーザデータベースＤ３の機体番号ｃ３欄に、この取得した機体番号を登録する処理を行なう。続いて、管理サーバ２は、携帯電話機１ａに図１４に示す機体番号登録完了のＷｅｂページＧ５を表示する。このＷｅｂページＧ５の表示領域ｇ５ａには、携帯電話機１ａの機体番号が登録されたチャンネル番号を表示する。一人の配信依頼者に複数のチャンネル番号が割り付けられている場合には、表示領域ｇ５ａに複数のチャンネル番号を表示する処理を行なう。また、表示領域ｇ５ｂには、図１１に示す動画アップロード用ログインページＧ２に進むための［ログイン画面］ボタンｇ５ｂを表示する。【０１２１】（ステップ１６）
配信依頼者は、機体番号登録完了のＷｅｂページＧ５を見て、自分の携帯電話機１の機体番号に対応して設定されたチャンネル番号を確認することができる。そして、配信依頼者は、引き続いて携帯電話機１ａで撮像した動画をメールサーバ３に送信するときには、ＷｅｂページＧ５に表示されている［ログイン画面］ボタンｇ５ｂをクリックする。【０１２２】［動画のアップロード］
続いて、配信依頼者が携帯電話機１ａで撮像した動画を配信依頼するためにメールサーバ３に送信し、さらに、ストックサーバ４でこのアップロードされた動画に広告映像を結合し、この広告映像を結合した広告映像付き動画を配信サーバ６ａに記憶するまでの手順とその処理内容を、図１５に示すステップ順に説明する。図１５は、この手順の流れとその処理内容を説明するための図である。【０１２３】（ステップＳ２０）（ステップＳ２１）
配信依頼者は、携帯電話機１ａから管理サーバ２がインターネト９上に公開する動画アップロード用ログインページＧ２のＵＲＬをアクセスする。すると、管理サーバ２のアップロード支援プログラムＰ２２は、携帯電話機１ａの表示画面に図１１に示す動画アップロード用ログインページＧ２を表示する処理を行なう。【０１２４】（ステップＳ２２）（ステップＳ２３）
配信依頼者は、前記したステップＳ５〜Ｓ１６により携帯電話機１ａの機体番号を管理サーバ２に登録済みであるので、動画アップロード用ログインページＧ２に表示されている［Ｅａｓｙ］ボタンｇ２ｂ−１をクリックする。すなわち、配信依頼者は、自分の携帯電話機１ａの機体番号を管理サーバ２に登録しているので、動画アップロード用ログインページＧ２の表示領域ｇ２ａに、面倒なユーザ名とパスワードを入力しなくても管理サーバ２にログインすることが可能になる。【０１２５】  動画アップロード用ログインページＧ２を記述するプログラム言語内には、携帯電話機１ａの機体番号を読み出して管理サーバ２に送信する処理を行なう機体番号取得プログラムＰ２１が組み込まれている。これにより、配信依頼者が［Ｅａｓｙ］ボタンｇ２ｂ−１をクリックすると、管理サーバ２は、管理サーバ２をアクセスした配信依頼者の携帯電話機１ａの機体番号を取得することができる。【０１２６】（ステップＳ２４）
ステップＳ２４においては、管理サーバ２は次の処理を行なう。
（１）機体番号認証手段となる機体番号認証プログラムＰ２３を作動させて、ステップＳ２３により取得した機体番号がユーザデータベースＤ３に登録されているか否かを判定する処理を行なう。すなわち、配信依頼者が管理サーバ２に事前に登録した携帯電話機１ａを使用して動画をアップロードしようとしているか否かの認証処理を行なう。【０１２７】  （２）上記（１）の判定結果、取得した機体番号がユーザデータベースＤ３に登録されていると、正常な配信依頼者が動画をアップロードしようとしている判定し、取得した機体番号に対応してユーザデータベースＤ３に登録されているチャンネル番号ａ１を求めて記憶装置に記憶する。なお、携帯電話機１ａから取得した機体番号がユーザデータベースＤ３に未登録の場合には、管理サーバ２は、携帯電話機１ａに「機体番号未登録」を示すメッセージを表示するようにする。【０１２８】（ステップＳ２５）
管理サーバ２のアップロード支援プログラムＰ２２は、図１２に示す動画アップロード用ＷｅｂページＧ３を携帯電話機１ａに表示する処理を行なう。【０１２９】（ステップＳ２６）
配信依頼者は、動画アップロード用ＷｅｂページＧ３の表示領域ｇ３ａに表示されている［動画登録］ボタンｇ３ａ−１をクリックする。【０１３０】（ステップＳ２７）
動画アップロード用ＷｅｂページＧ３の［動画登録］ボタンｇ３ａ−１がクリックされると、管理サーバ２は、図１６に示すチャンネル指定用ＷｅｂページＧ６を携帯電話機１ａに表示する処理を行なう。チャンネル指定用ＷｅｂページＧ６の表示領域ｇ６ａには、ステップＳ２４により記憶装置に記憶したチャンネル番号を表示する。チャンネル指定用ＷｅｂページＧ６は、予め配信依頼者に割り付けられたチャンネル番号を表示して、配信依頼者がこれからメールサーバ３に送信する動画とこの配信依頼者に割り付けられたチャンネル番号との関連付け、すなわち、これから送信する動画にチャンネル番号を設定する操作を支援するためのＷｅｂページである。従って、配信依頼者に複数のチャンネル番号が割り付けられている場合には、管理サーバ２はＷｅｂページＧ６の表示領域ｇ６ａにこの複数のチャンネル番号を表示する処理を行なう。【０１３１】（ステップＳ２８）
配信依頼者は、チャンネル指定用ＷｅｂページＧ６の表示領域ｇ６ａに表示されているチャンネル番号を指定して、［送信］ボタンｇ６ｂをクリックする操作を行なう。このとき、表示領域ｇ６ａに複数のチャンネル番号が表示されている場合には、そのいずれか一つを指定して、［送信］ボタンｇ６ｂをクリックする操作を行なう。これにより、管理サーバ２のアップロード支援プログラムＰ２２は、配信依頼者が指定した一つのチャンネル番号を取得できることになる。【０１３２】（ステップＳ２９）
管理サーバ２は、チャンネル指定用ＷｅｂページＧ６からチャンネル番号を取得すると、この取得したチャンネル番号を記憶装置に記憶する処理を行なう。続いて、アップロード支援プログラムＰ２２は、図１７に示す動画送信依頼用ＷｅｂページＧ７を携帯電話機１ａに表示する処理を行なう。動画送信依頼用ＷｅｂページＧ７は、配信依頼者に対して、携帯電話機１ａに記憶している動画（アップロード用動画）をメールに添付して、表示領域ｇ７ａに表示しているメールサーバ３のメール送信先のアドレスに送信することを依頼するためのＷｅｂページでる。【０１３３】  動画送信依頼用ＷｅｂページＧ７の表示領域ｇ７ａには、上記したように、携帯電話機１ａがメールを送信するメールサーバ３のメールアドレスを表示する。このメールアドレスは、ステップＳ２８により携帯電話機１ａから取得したチャンネル番号に対応してチャンネル番号データベースＤ１に登録されたサーバ区分ａ２であって、サーバデータベースＤ２に登録されているメールサーバのメール送信先アドレスｂ１を表示する処理を行なう。【０１３４】  また、ＷｅｂページＧ７の表示領域ｇ７ｂには、動画を添付したメールを管理サーバ２に送信する期限日時も表示する。そして、管理サーバ２は、ＷｅｂページＧ７を携帯電話機１ａに表示する処理を行なうと、経過時間をカウントするプログラムを作動させて経過時間をカウントする処理を行なう。【０１３５】  さらに、管理サーバ２は、ステップＳ２９の処理において、携帯電話機１ａが動画を添付したメールをメールサーバ３に送信するためのメールの件名（メール件名）を自動生成し、携帯電話機１ａはこのメール件名を動画送信依頼用ＷｅｂページＧ７から取得できるようにすると共に、このメール件名をステップＳ２８により携帯電話機１ａから取得したチャンネル番号に関連付けて記憶装置に記憶する処理を行なう。携帯電話機１ａによるこのメール件名の取得は、動画送信依頼用ＷｅｂページＧ７を記述した言語内にメール件名を管理サーバ２から取得するためのプログラムを組み込んでおくことにより可能である。【０１３６】（ステップＳ３０）
配信依頼者は、動画送信依頼用ＷｅｂページＧ７の表示領域ｇ７ａをクリックする操作を行なう。表示領域ｇ７ａをクリックすると、ＷｅｂページＧ７を記述する言語内に組み込まれているプログラムにより、携帯電話機１ａのメール送信プログラムが作動して、管理サーバ２が自動生成したメール件名がメールの件名になり、携帯電話機１ａの記憶装置に記憶されている動画のファイルを添付したメールが、表示領域ｇ７ａに表示されているメールサーバ３のメールアドレスに送信される。なお、このメールには、アップロードする動画のタイトル名、アップロードする動画の内容を表すキーワード、配信終了日、等のテキスト情報を入力してメールサーバ３に送信するようにしてもよい。【０１３７】（ステップＳ３１）
メールサーバ３のメール受信処理プログラムＰ３１は、まず、携帯電話機１ａから受信したメールについてそのメール件名を求める処理を行なう。続いて、このメール件名を管理サーバ２に送信し、管理サーバ２に対して、このメールの件名に係るチャンネル番号に関する情報の送信要求を行なう。なお、携帯電話機１ａの記憶装置に記憶されている映像データは、３ＧＰＰあるいは３ＧＰＰ２のデータ形式で記憶されているので、メールサーバ３が受信した映像データは、同じく３ＧＰＰあるいは３ＧＰＰ２のデータ形式になる。【０１３８】（ステップＳ３２）
管理サーバ２のアップロード支援プログラムＰ２２は、メールサーバ３からチャンネル番号に関する情報の送信要求を受信すると、次の（１）〜（３）に記載の処理を行なう。【０１３９】  （１）受信したメール件名が、ステップＳ２９により記憶装置にチャンネル番号と関連付けして記憶したメール件名と同一であるか否かを判定する。この判定の結果、同一であると判定された場合には、このチャンネル番号に対応して、チャンネル番号データベースＤ１を参照して、サーバデータベースＤ２に登録されているこのチャンネル番号に関する各種の情報を求める処理を行なう。【０１４０】  上記したチャンネル番号に関する情報とは、上記（１）のチャンネル番号に対応してサーバデータベースＤ２に登録されているストックサーバのＵＲＬ（ｂ２）、配信サーバのＵＲＬ（ｂ３）、等である。【０１４１】  （２）アップロード支援プログラムＰ２２は、上記した動画識別番号作成プログラムを作動させて動画識別番号ｄ１を自動生成する処理を行なう。そして、この生成した動画識別番号ｄ１をメールサーバ３に送信された動画に設定されたチャンネル番号ａ１と関連付けして新着動画データテーブル（ＤＴ）Ｄ５に記憶する処理を行なう。【０１４２】  （３）続いて、ステップＳ２９により記憶装置にチャンネル番号ａ１（携帯電話機１から取得したチャンネル番号）と、上記（１）で求めたストックサーバのＵＲＬ（ｂ２）、配信サーバのＵＲＬ（ｂ３）と、上記（２）で生成した動画識別番号ｄ１をメールサーバ３に送信する処理を行なう。【０１４３】  なお、このステップＳ３２の処理において、上記したステップＳ２９で経過時間（例えば、３０分）をカウントした時間値が所定の時間を経過しても、メールサーバ３から前記チャンネル番号に関する情報の送信要求の送信がない場合には、配信依頼者の動画のアップロードに対するアクセスを無効にする処理を行なう。この処理を行なう理由は、不正な配信依頼者が動画をアップロードしようとしていることが考えられるからである【０１４４】（ステップＳ３３）
メールサーバ３は、管理サーバ６から上記したチャンネル番号に関する情報を受信すると、管理サーバ２から受信したストックサーバ４の受信用ＵＲＬ（ｂ２）をアクセスして、携帯電話機１ａから受信した動画と、管理サーバ２から受信したチャンネル番号と、このチャンネル番号に関する情報であって動画識別番号ｄ１と、配信サーバのＵＲＬ（ｂ３）、等をストックサーバ４に送信する。【０１４５】（ステップＳ３４）
ストックサーバ４の受信処理プログラムは、メールサーバ３から動画ファイル、チャンネル番号、動画識別番号、配信サーバのＵＲＬ（ｂ３）、等の情報を受信すると、これらの情報をチャンネル番号と動画識別番号に関連付けして外部記憶装置を含む記憶装置に一時記憶する処理を行なう。続いて、ストックサーバ４は、本発明のシステムの特徴であって、承認管理者がストックサーバ４にアップロードされた動画を視聴して、視聴端末装置７ａへの配信許可又は不許可の承認情報を付与する処理を行なう。以下、この処理手順を、図１８に示すステップ順に説明する。【０１４６】［アップロードされた動画を配信するための承認手順］
（ステップＳ４１）
承認管理者は、配信承認装置５を操作して、ストックサーバ４のアップロードされた動画の承認処理を行なうためのＵＲＬをアクセスする。このとき、承認管理者は、管理用ＩＤとパスワードを入力してストックサーバ４をアクセスする。【０１４７】（ステップＳ４２）
ストックサーバ４は、上記ステップＳ４１により配信承認装置５からアクセスされると、アップロード動画認証処理プログラムＰ４１により、取得した管理用ＩＤとパスワードが、予め承認管理者データベースＤ１３に登録されているか否かの認証処理を行なう。この認証処理の結果、管理用ＩＤとパスワードが承認管理データベースＤ１３に登録されていると判定されると、管理サーバ２に対して、新着動画に関する情報の送信要求を行なう。管理用ＩＤとパスワードが承認管理データベースＤ１３に登録されていないときには、配信承認装置５にエラー表示を行なう。【０１４８】（ステップＳ４３）
管理サーバ２は、新着動画に関する情報の送信要求を受信すると、アップロード支援プログラムＰ２２により、新着動画データテーブルＤ５に記憶されている全ての情報であって、少なくとも、動画識別番号ｄ１とそのチャンネル番号ａ１とを関連付けしたデータをストックサーバ４に送信する。このとき、配信承認装置５が複数台設置されている場合には、承認管理者データベースＤ１３を参照して、アクセスした配信承認装置５に予め設定されているチャンネル番号の範囲に該当して新着動画データテーブルＤ５に記憶されている動画識別番号ｄ１を選択する処理を行なう。【０１４９】（ステップＳ４４）
ストックサーバ４は、管理サーバ３から新着動画に関する情報を受信すると、受信した情報を記憶装置に記憶すると共に、図８に示す動画承認用ＷｅｂページＫ１を、配信承認装置５に表示する処理を行なう。承認管理者は、動画承認用ＷｅｂページＫ１を利用してストックサーバ４にアップロードされた全ての動画を視聴し、承認情報を入力する操作を行なう。なお、動画承認用ＷｅｂページＫ１の表示領域Ｋｅには、管理サーバ３から送信された新着動画に関する情報のうち、これから視聴して承認情報を入力する対象となる動画のチャンネル番号を表示する。【０１５０】（ステップＳ４５）
承認管理者が動画承認用ＷｅｂページＫ１の「試聴」ボタンＫｂ１をクリックすると、表示領域Ｋｅに表示されているチャンネル番号が設定されて、ストックサーバ４の所定の記憶領域に記憶されている動画にリンクされて、この動画が表示領域ｈ１に再生表示される。【０１５１】（ステップＳ４６）
承認管理者は、表示領域ｈ１に表示された動画を視聴する。そして、この視聴結果、この動画に有害な動画等が含まれ、視聰端末装置７ａへの配信は好ましくないと判断すると、動画承認用ＷｅｂページＫ１の「不可」ボタンＫｂ３をマウスでクリックする。【０１５２】（ステップＳ４７）
承認管理者が「不可」ボタンＫｂ３をマウスでクリックすると、アップロード動画承認処理プログラムＰ４１は、配信承認装置５からこの「不可」に係る承認情報を取得する。そして、アップロード動画承認処理プログラムＰ４１は、この「不可」に係る承認情報を取得したチャンネル番号が設定されている動画を、ストックサーバ４の記憶領域から削除する処理を行なう。続いて、この「不可」に係る制御コマンドと共に、不可と判定された動画のチャンネル番号と映像識別番号とを管理サーバ２に送信する。【０１５３】（ステップＳ４８）
管理サーバ２のアップロード支援プログラムＰ２２は、上記ステップＳ４７による不可に係る情報を受信すると、新着識別番号データテーブルＤ５を参照して、受信した動画識別番号ｄ１、及びこの動画識別番号ｄ１に関連付けして記憶されているチャンネル番号ａ１等の情報を、新着識別番号データテーブルＤ５から削除する処理を行なう。
本発明においては、これらステップＳ４７〜Ｓ４８の処理により、ストックサーバ４にアップロードされた動画のうち、有害な動画等が含まれている動画は、視聴端末装置７ａに送信されることを防止できる。【０１５４】（ステップＳ４９）（ステップＳ５０）
一方、動画の視聴結果、承認管理者が動画承認用ＷｅｂページＫ１の「許可」ボタンＫｂ２をマウスでクリックすると、アップロード動画承認処理プログラムＰ４１は広告映像結合プログラムＰ４３に制御を移行させて、広告映像の選択ボタンＫｃ１、Ｋｃ２のクリック待ちの状態に設定する。【０１５５】（ステップＳ５１）（ステップ５２）
前記したように、承認管理者が広告映像の選択ボタンＫｃ１、又はＫｃ２をマウスでクリックして動画に結合する広告映像を選択すると、広告映像結合プログラムＰ４３は、広告映像インデックステーブルＤ１２を参照して、選択された広告映像が表示領域ｈ２に再生して表示する処理を行なう。これにより、承認管理者は選択した広告映像の選択間違いの有無を確認することができる。【０１５６】（ステップＳ５３）
承認管理者が動画承認用ＷｅｂページＫ１の「決定」ボタンＫｃ３をマウスでクリックすると、広告映像結合プログラムＰ４３が作動して、ステップＳ４９により「許可」の承認情報を取得した動画ファイルに、ステップＳ５１により選択された広告映像を結合する処理が実行される。【０１５７】（ステップＳ５４）
承認管理者が「決定」ボタンＫｃ３をマウスでクリックすると、前記したように、まず、ファイル変換プログラムＰ４２が作動してアップロードされた動画のファイルをＡＶＩ形式のファイルに変換する処理を行なう。続いて、広告映像結合プログラムＰ４３のファイル結合処理プログラムが作動して、ＡＶＩ形式に変換した動画ファイルの先頭位置と終端位置とに、承認管理者がそれぞれ選択した広告映像を結合する処理を行なう。この処理により、ＡＶＩ形式の動画の先頭位置と終端位置とに、広告映像を結合した一つのＡＶＩ形式からなる広告映像付きの動画ファイルが作成される。また、サムネイル画像作成プログラムＰ４４により、サムネイル画像のファイルも作成する。【０１５８】  続いて、ＡＶＩ形式からなる広告映像付きの動画ファイルを、ファイル変換プログラムＰ４２により、３種のデータ形式、すなわち、３ＧＰＰ形式、３ＧＰＰ形式、ＷＭＶ形式のデータからなる広告映像付き動画ファイルを作成する処理を行なって、ストックサーバ４の所定の記憶領域に記憶する。続いて、これら３種の広告映像付き動画ファイルとサムネイル画像を、アップロードされた動画のチャンネル番号とその画像識別番号とともに、メールサーバ３から取得した配信サーバ６ａのＵＲＬ（ｂ３）に送信する。【０１５９】（ステップＳ５５）
配信サーバ６ａは、上記ステップＳ５４によりストックサーバ４から広告映像付き動画ファイル及びサムネイル画像と、これら動画と画像に係るチャンネル番号とその画像識別番号を受信すると、動画格納処理プログラムＰ６１が作動して、これら受信した３種の広告映像付き動画ファイルとサムネイル画像ファイルを格納する記憶領域（ＵＲＬ）を作成する処理を行なう。これらの広告映像付き動画ファイル等を格納するＵＲＬは、前記（ＵＩ）から構成されるＵＲＬになる。続いて、動画格納処理プログラムＰ６１は、これら３種の広告映像付き動画ファイルをそれぞれ（ＵＩ）から構成されるＵＲＬに格納（記憶）する処理を行なう。【０１６０】  続いて、動画格納処理プログラムＰ６１は、広告映像付き動画ファイル等の格納処理終了の制御コマンドをストックサーバ４に送信する。ストックサーバ４のアップロード動画承認処理プログラムＰ４１は、この制御コマンドを受信すると、制御を広告映像付き動画の承認処理に移行させる。【０１６１】（ステップＳ５６）（ステップＳ５７）
承認管理者が動画承認用ＷｅｂページＫ１の「試聴」ボタンＫｄ１をマウスでクリックすると、上記ステップＳ５５により配信サーバ６ａに記憶した広告映像付き動画のＵＲＬ（Ｕ１）とリンクが取れるようにして、この動画を表示領域ｈ３に再生して表示できるようにする。そして、承認管理者は、表示領域ｈ３に表示された広告映像付き動画を視聴して、この広告映像付き動画を視聴端末装置７ａに配信すべきか否かの最終の承認情報を「承認」ボタンＫｄ２、又は「戻す」ボタンＫｄ３のクリック操作により入力する。【０１６２】（ステップＳ５８）（ステップＳ６１）（ステップＳ５９）
アップロード動画承認処理プログラムＰ４１は、配信承認装置５に表示された動画承認用ＷｅｂページＫ１から「承認」ボタンＫｄ２のクリックに伴なう承認情報を取得すると、視聴端末装置７ａへの配信が承認されたことを示す制御コマンドを、この承認された動画のチャンネル番号と動画識別番号と共に、管理サーバ２に送信する。一方、「戻す」ボタンＫｄ３のクリックに伴なう承認情報を取得すると、「戻す」に係る制御コマンドと共に、「戻す」と判定された動画のチャンネル番号と動画識別番号を配信サーバ６ａに送信する。【０１６３】（ステップＳ６０）
管理サーバ２のアップロード支援プログラムＰ２２は、上記ステップＳ５９により承認された動画のチャンネル番号と動画識別番号を受信すると、新着動画データテーブルＤ５を参照して、受信したチャンネル番号（又はその動画識別番号）関して新着動画データテーブルＤ５に記憶されている全てのデータを取り出して、動画識別番号データベースＤ４に移動させて記憶する処理を行なうとともに、この動画識別番号に対応する配信区分ｄ４に「１」を記憶する処理を行なう。なお、配信区分ｄ４に記憶する「１」は、チャンネル番号が付与された動画は、視聴端末装置７ａに配信可能であることを示す情報である。【０１６４】  また、動画識別番号データベースＤ４に、既に、同一のチャンネル番号を有する動画に関する情報が登録されている場合には、このチャンネル番号の動画識別番号に係る配信区分ｄ４に、配信不可を示す「０」を記憶する処理を行なう。
このステップＳ６０の処理により、新着動画データテーブルＤ５には、承認管理者により視聰端末装置への承認情報が取得されていない動画が動画識別番号ｄ１別に記憶されることになる。【０１６５】（ステップＳ６２）
配信サーバ６ａの動画削除プログラムＰ６２は、上記ステップＳ５９により「戻す」の制御コマンドに係わるチャンネル番号と動画識別番号を受信すると、このチャンネル番号と動画識別番号と有しているＵＲＬに格納されている映像付き動画を削除する処理を行なう。そして、プログラムの制御を上記ステップＳ５１に戻して、承認管理者に再度広告映像を選択させる操作を行なわせる。【０１６６】  なお、上記ステップＳ４８、またはステップＳ６０の処理が終了すると、アップロード動画承認処理プログラムＰ４１は管理サーバ２からの処理終了のコマンドを受信した後、承認管理者から承認情報を取得していない動画の有無を判定する。そして、未だ残っている場合には、動画承認用ＷｅｂページＫ１の新着動画件数の表示領域Ｋａ２の表示を「−１」して表示し、さらに、表示領域Ｋｅのチャンネル番号の表示を更新して、制御をステップＳ４５に戻す。これにより、承認管理者は、次のアップロードされた動画を視聴して、承認情報を入力する操作を行なうことができるようになる。【０１６７】  続いて、配信依頼者がパーソナルコンピュータから構成される端末装置１ｃを操作して管理サーバ２をアクセスして、端末装置１ｃに記憶している動画を配信依頼するためにアップロードする手順とその処理内容の概要について説明する。この処理手順は下記のようになる。【０１６８】  （１）まず、配信依頼者は、デジタルビデオカメラ等を使用して配信依頼する動画を撮像する。続いて、この撮像した動画ファイルを、ＡＶＩ形式にして端末装置１ｃの外部記憶装置に記憶する。なお、本システムは、配信依頼された動画を視聰者の携帯電話機７ａで視聴することを主目的としているので、端末装置１ｃの外部記憶装置に記憶するＡＶＩ形式のデータは、現在の携帯電話機の性能を考慮して携帯電話機７ａで視聴可能なデータ容量に制限するようにしてもよい。【０１６９】  （２）配信依頼者は、端末装置１ｃを操作して管理サーバ２がインターネット９上に公開する動画アップロード用ログインページをアクセスする。このアクセスにより、管理サーバ２は、例えば、図１１に示すログインページＧ２と同様なフォーマットを有するパーソナルコンピュータ用のログイン用Ｗｅｂページを端末装置１ｃに表示する。【０１７０】  （３）続いて、配信依頼者はこのログイン用Ｗｅｂページに、ユーザ名とパスワードを入力して管理サーバ２に送信する操作を行なうと、管理サーバ２は配信依頼者の認証処理を行なう。【０１７１】  （４）管理サーバ２のアップロード支援プログラムは、正当な配信依頼者がアクセスしたと判定すると、例えば、図１６に示すようなパーソナルコンピュータ用のチャンネル指定用ＷｅｂページＧ６を配信依頼者の端末装置１ｃに表示して、配信依頼者がアップロードする動画に設定するチャンネル番号を取得する処理を行なう。【０１７２】  （５）管理サーバ２は、配信依頼者の端末装置１ｃからチャンネル番号を取得すると、動画をメールに添付して送信する送信先となるメールサーバ３の送信先のアドレスと、このメール件名、およびこのメールを送信する期限日時を表示したメールを配信依頼者の端末装置１ｃに送信する。【０１７３】  （６）配信依頼者は、端末装置１��を操作してアップロードする動画を添付したメールを、上記（５）により連絡を受けたメールサーバ３のアドレスにメールを送信する。【０１７４】  以降の処理は、前記ステップＳ３１〜Ｓ６２と同様な処理を行なうようにする。なお、ステップＳ３１のメールサーバ３のメール受信処理において、端末装置１ｃから送信された動画ファイルのデータ容量が予め設定した容量より大きい場合には、この動画ファイルの受信を受付けない処理を行なうようにするとよい。【０１７５】［動画の視聴要求］
続いて、本発明のシステムを利用して視聴者が視聴端末装置７ａを操作して、動画の配信要求を行なう手順ついて説明する。この手順は、例えば、下記（１）〜（４）に記載の手順により実施することができる。なお、システム管理運営者は、配信サーバ６ａに記憶している動画のタイトル名とそのチャンネル番号等を掲載した配信要求用のＷｅｂページ（番組Ｗｅｂページ）を、Ｗｅｂサーバ８を利用してインターネット９上に公開する。【０１７６】  （１）視聴者が視聴端末装置７ａを操作してＷｅｂサーバ８の番組Ｗｅｂページを表示して、視聴したいチャンネル番号をクリックすると、Ｗｅｂサーバ８はこのチャンネル番号を取得することができる。続いて、Ｗｅｂサーバ８は、管理サーバ２にこのチャンネル番号を送信して、配信要求により取得したチャンネル番号が設定された動画を記憶する配信サーバ６ａのＵＲＬの送信要求を行なう。【０１７７】  （２）管理サーバ２は、Ｗｅｂサーバ８から配信サーバ６ａのＵＲＬの送信要求を受信すると、配信制御プログラムＰ２４により次の処理（ａ）〜（ｄ）を行なって、要求された配信サーバ６ａのＵＲＬに係る情報を求めることができる。
（ａ）受信したチャンネル番号がチャンネル番号データベースＤ１に登録されているか否かを判定する処理を行なう。この判定の結果、チャンネル番号が登録されていると、このチャンネル番号に対応して、チャンネル番号データベースＤ１に登録されている動画配信区分ａ４に「１」が記憶されているか否かを判定する。【０１７８】  （ｂ）動画配信区分ａ４に「１」が記憶されていると、このチャンネル番号が設定されている動画は現在配信中と判定されるので、次の処理（ｃ）、（ｄ）を行なう。【０１７９】  （ｃ）配信要求に伴なって取得したチャンネル番号に対応して、動画識別番号データベースＤ４に登録されている動画識別番号ｄ１であって配信区分ｄ４に「１」が記憶されている動画識別番号ｄ１を取り出して記憶装置に記憶する。【０１８０】  （ｄ）続いて、同じく取得したチャンネル番号に対応して、チャンネル番号データベースＤ１のサーバ区分ａ２に登録されている情報を判定する。そして、このサーバ区分ａ２に登録されている情報に対応してサーバデータベースＤ２に登録されている配信サーバのＵＲＬ（ｂ３）を求める処理を行なう。【０１８１】  （３）続いて、配信制御プログラムＰ２４は、取得したチャンネル番号と、上記（ｃ）の処理で求めた動画識別番号ｄ１と、上記（ｄ）の処理で求めた配信サーバ６ａのＵＲＬ（ｂ３）から、配信要求された動画を格納している配信サーバ６ａのＵＲＬを求める処理を行なう。このＵＲＬは、前記したＵＲＬ（Ｕ１）の構成になる。そして、この求めた配信サーバ６ａのＵＲＬをＷｅｂサーバ８に送信する。【０１８２】  （４）Ｗｅｂサーバ８は、管理サーバ２から配信要求された動画を記憶している配信サーバ６ａのＵＲＬを取得すると、このＵＲＬを配信要求した視聴端末装置７ａに送信する。これにより、視聴端末装置７ａは、配信要求した動画を視聴することができるようになる。また、視聴する動画には先頭位置と終端位置に広告に関する映像が結合されているので、視聴者は必然的にこの広告映像を視聴することになるので、広告主はその広告効果を得ることが可能になる。【０１８３】  以上に説明した実施形態の説明においては、ストックサーバ４でアップロードされた動画を一時記憶して、視聰端末装置への配信について、承認管理者が事前に視聴してその配信可否の承認情報の取得処理と、配信の承認を取得した動画に広告映像を結合する処理とを１台のストックサーバで処理する例について説明したが、これらの処理を別々のサーバで処理するしようにしてもよい。【０１８４】  なお、この承認管理者が事前に視聴してその配信可否の承認情報を取得するために、ストックサーバは、図８に示す動画承認用ＷｅｂページＫ１を配信承認装置に表示する例について説明したが、図１９に示す動画承認用ＷｅｂページＫ２のように、アップロードされた動画、広告映像、及び広告映像付き動画を表示する領域を一つの領域ｈ４に統一し、さらに、配信依頼者がメールに入力したテキスト情報、例えば、動画のタイトル等を領域ｈ５に表示する処理を行なうようにしてもよい。この領域ｈ５にテキスト情報を表示するためには、メールサーバ３は取得したメールのテキスト情報を解析して動画のタイトル等を抽出し、この抽出し���テキスト情報を管理サーバ２に送信すると共に、アップロードされた動画のチャンネル番号、動画識別番号等と共にストックサーバ４に送信するようにする。【０１８５】  さらに、ストックサーバ４は、配信の承認を取得した動画についても、上記した抽出したテキスト情報を配信サーバ６ａに送信し、配信サーバ６ａはこの受信したテキスト情報を対応する動画のチャンネル番号と動画識別番号を含むＵＲＬ（Ｕ１）に記憶するようにしてもよい。このような処理を行なうと、Ｗｅｂサーバ８がインターネット９上に公開する配信要求用Ｗｅｂページに、視聴可能な動画の一覧として、チャンネル番号、サムネイル画像、タイトル名、等の最新の情報を表示することが可能になる。【０１８６】  また、本発明にシステムは、配信の承認を取得した動画に広告映像を結合する処理を行なわないで、配信サーバに格納する動画配信システムとしてもよい。
【図面の簡単な説明】
【０１８７】
【図１】  本発明のシステムを実施するためのシステム構成の一例を示す図である。
【図２】  図１に示すサーバが備えているプログラムとデータベースの構成の一例を説明するための図である。
【図３】  図１に示す管理サーバが備えているチャンネル番号データベースのデータ構成の一例を説明するための図である。
【図４】  同じく、管理サーバが備えているサーバデータベースのデータ構成の一例を説明するための図である。
【図５】  同じく、管理サーバが備えているユーザデータベースのデータ構成の一例を説明するための図である。
【図６】  同じく、管理サーバが備えている動画識別番号データベースのデータ構成の一例を説明するための図である。
【図７】  同じく、管理サーバが備えている新着動画データテーブルのデータ構成の一例を説明するための図である。
【図８】  図１に示す配信承認装置に表示される動画承認用Ｗｅｂページの一例を説明するための図である。
【図９】  配信依頼者がユーザ登録を行なうときの手順と、配信依頼者が所有している携帯電話機の機体番号を、管理サーバをアクセスして登録するときの手順を説明するための図である。
【図１０】  ユーザ登録の申請を行なった配信依頼者の携帯電話機に対して、システム管理運営者側が送付したユーザ登録完了のメールの一例を説明するための図である。
【図１１】  管理サーバが配信依頼者の携帯電話機に表示するＷｅｂページであって、動画をアップロードするためのログイン用Ｗｅｂページの一例を説明するための図である。
【図１２】  同じく、管理サーバが配信依頼者の携帯電話機に表示するＷｅｂページであって、動画アップロード用Ｗｅｂページの一例を説明するための図である。
【図１３】  同じく、管理サーバが配信依頼者の携帯電話機に表示するＷｅｂページであって、携帯電話機１の機体番号を管理サーバに送信（登録）することについて、配信依頼者の承諾を得るためのＷｅｂページの一例を説明するための図である。
【図１４】  同じく、管理サーバが配信依頼者の携帯電話機に表示するＷｅｂページであって、配信依頼者の機体番号の登録完了を通知するためのＷｅｂページの一例を説明するための図である。
【図１５】  本発明のシステムにおいて、配信依頼者が携帯電話機で撮像した動画をメールサーバに送信してストックサーバに一時格納するまでの処理の流れを説明するための図である。
【図１６】  管理サーバが配信依頼者の携帯電話機に表示するＷｅｂページであって、アップロードされる動画を、予め配信依頼者に割り付けられたチャンネル番号と関連付けしてメールサーバに送信させる操作を支援するためのＷｅｂページの一例を説明するための図である。
【図１７】  同じく、管理サーバが配信依頼者の携帯電話機に表示するＷｅｂページであって、携帯電話機で撮像した動画を添付したメールを、メールサーバに送信することを依頼するためのＷｅｂページの一例を説明するための図である。
【図１８】  本発明のシステムにおいて、アップロードされた動画をストックサーバに一時格納した後、配信サーバに格納するまでの処理の流れを説明するための図である。
【図１９】  配信承認装置に表示される動画承認用Ｗｅｂページについて、他の例を示す図である。
【符号の説明】
【０１８８】  １ａ、１ｂ：配信依頼者の携帯電話機
１ｃ、１ｄ：配信依頼者の端末装置
２：管理サーバ
３：メールサーバ
４：ストックサーバ
５：配信承認装置
６ａ、６ｂ：管理サーバ
７ａ、７ｂ：視聴者の携帯電話機（視聴端末装置）
７ｃ：視聴者の端末装置（視聴端末装置）
８：Ｗｅｂサーバ（Ｗｅｂサイト）
９：インターネット
Ｄ１：チャンネル番号データベース
Ｄ２：サーバデータベース
Ｄ３：ユーザデータベース
Ｄ４：動画識別番号データベース
Ｄ５：新着情報データテーブル
Ｄ１１：広告映像データベース
Ｋ１、Ｋ２：動画承認用Ｗｅｂページ
Ｐ２１：機体番号取得プログラム
Ｐ２２：アップロード支援プログラム
Ｐ２３：機体番号認証プログラム
Ｐ２４：配信制御プログラム
Ｐ４１：アップロード動画承認処理プログラム
Ｐ４３：広告映像結合プログラム
Ｐ６１：動画格納処理プログラム
【図１】
2008028970.tif 000003
【図２】
2008028970.tif 000004
【図３】
2008028970.tif 000005
【図６】
2008028970.tif 000006
【図７】
2008028970.tif 000007
【図４】
2008028970.tif 000008
【図５】
2008028970.tif 000009
【図８】
2008028970.tif 000010
【図１７】
2008028970.tif 000011
【図９】
2008028970.tif 000012
【図１０】
2008028970.tif 000013
【図１１】
2008028970.tif 000014
【図１２】
2008028970.tif 000015
【図１３】
2008028970.tif 000016
【図１４】
2008028970.tif 000017
【図１６】
2008028970.tif 000018
【図１５】
2008028970.tif 000019
【図１８】
2008028970.tif 000020
【図１９】
2008028970.tif 000021